(57)【特許請求の範囲】
【請求項１】
複数の送信用データ系列それぞれに複数の短周期拡散符号それぞれを乗積する短周期拡散符号乗積部と、
前記短周期拡散符号乗積部から出力される短周期拡散符号の乗積された前記複数の送信用データ系列それぞれに共通する長周期拡散符号を乗積する長周期拡散符号乗積部と、
同期信号用データを発生する同期信号用データ発生部、同期信号用拡散符号を生成する同期信号用拡散符号生成部及び前記同期信号用データ発生部によって発生された同期信号用データに前記同期信号用拡散符号生成部によって発生された同期信号用拡散符号を乗積し、同期信号として出力する乗積部を有する同期信号生成部と、
前記長周期拡散符号乗積部から出力される短周期拡散符号と長周期拡散符号とが二重に乗積された前記送信用データ系列それぞれと前記同期信号生成部の出力する同期信号用データに同期信号用拡散符号のみが乗積された同期信号とを、当該同期信号が前記同期信号用拡散符号の符号系列のパターンにより前記長周期拡散符号の送信タイミングを表す態様で合成する送信信号合成部と、
前記送信信号合成手段にて合成された合成信号を１又は複数のサブキャリアを用いて送出する送信処理部とを備えて成るマルチキャリアＣＤＭＡ方式の移動通信システムにおける送信装置。
【請求項２】
前記同期信号生成部は、前記同期信号用データに、一定期間中に複数のタイミングで同期信号用拡散符号を乗積して出力することを特徴とする請求項１に記載のマルチキャリアＣＤＭＡ方式の移動通信システムにおける送信装置。
【請求項３】
短周期拡散符号と長周期拡散符号とを二重に乗積したデータ系列と同期信号用データに同期信号用拡散符号のみを乗積して生成した同期信号とを、当該同期信号が前記同期信号用拡散符号の符号系列のパターンにより前記長周期拡散符号の送信タイミングを表す態様で合成し、１または複数のサブキャリアを用いて送信することを特徴とする移動通信システムにおける送信方法。
【請求項４】
前記同期信号を、バースト的に既知の時間間隔で送信することを特徴とする請求項３に記載の移動通信システムにおける送信方法。
【請求項５】
前記同期信号は、送信されるタイミングにより前記長周期拡散符号の送信タイミングを表すことを特徴とする請求項３に記載の移動通信システムにおける送信方法。
【請求項６】
前記同期信号は，送信されるタイミングと送信されるサブキャリアにより前記長周期拡散符号の送信タイミングを表すことを特徴とする請求項３に記載の移動通信システムにおける送信方法。
【請求項７】
短周期拡散符号と長周期拡散符号群に含まれるいずれか１つの長周期拡散符号とを二重に乗積したデータ系列を、複数のサブキャリアを用いて伝送するマルチキャリアＣＤＭＡ方式の移動通信システムにおける受信装置であって、
１または複数のサブキャリアに、同期信号用拡散符号のみが乗積された同期信号を含むマルチキャリア信号を受信する信号受信部と、
前記信号受信部が受信した前記マルチキャリア信号と、同期信号レプリカとの相関値を求める相関器と、
前記相関器が求めた前記相関値に応じて、ＦＦＴタイミングと前記長周期拡散符号の受信タイミングとを検出するタイミング検出部とを備えて成るマルチキャリアＣＤＭＡ方式の移動通信システムにおける受信装置。
【請求項８】
短周期拡散符号と長周期拡散符号群に含まれるいずれか１つの長周期拡散符号とを二重に乗積したデータ系列を、複数のサブキャリアを用いて伝送するマルチキャリアＣＤＭＡ方式の移動通信システムにおける受信装置であって、
１または複数のサブキャリアに、同期信号用拡散符号のみが乗積された同期信号を含むマルチキャリア信号を受信する信号受信部と、
前記信号受信部が受信した前記マルチキャリア信号と、同期信号レプリカとの相関値を求める第１の相関器と、
前記第１の相関器が求めた前記相関値に応じて、ＦＦＴタイミングと前記長周期拡散符号の受信タイミングとを検出するタイミング検出部と、
前記タイミング検出部が検出した前記ＦＦＴタイミングに応じてＦＦＴを行い、前記マルチキャリア信号を複数のサブキャリア成分に分離するＦＦＴ回路と、
前記タイミング検出部が検出した前記長周期拡散符号の受信タイミングに応じて、前記ＦＦＴ回路が分離した前記複数のサブキャリア成分と、前記長周期拡散符号群に含まれる各々の長周期拡散符号と前記短周期拡散符号とを二重に乗積した符号系列との相関値を求める第２の相関器と、
前記第２の相関器が求めた前記相関値に応じて、前記マルチキャリア信号を拡散する長周期拡散符号を検出する符号検出部と、
前記タイミング検出部が検出した前記長周期拡散符号の受信タイミングと前記符号検出部が検出した前記長周期拡散符号とを用いて、前記信号受信部が受信した前記マルチキャリア信号から前記データ系列を復調する復調回路とを備えて成るマルチキャリアＣＤＭＡ方式の移動通信システムにおける受信装置。
【請求項９】
短周期拡散符号と長周期拡散符号群に含まれるいずれか１つの長周期拡散符号とを二重に乗積したデータ系列を、複数のサブキャリアを用いて伝送するマルチキャリアＣＤＭＡ方式の移動通信システムにおける受信装置であって、
１または複数のサブキャリアに、同期信号用拡散符号のみが乗積された同期信号を含むマルチキャリア信号を受信する信号受信部と、
前記信号受信部が受信した前記マルチキャリア信号を、複数のＦＦＴタイミングに応じてＦＦＴを行い、複数のサブキャリア成分に分離するサブキャリア分離部と、
前記サブキャリア分離部が分離した前記複数のサブキャリア成分のうち、前記同期信号に含まれるサブキャリア成分と同期信号レプリカとの相関値を求める相関器と、
前記相関器が求めた相関値に応じて、前記長周期拡散符号の受信タイミングとＦＦＴタイミングとを検出するタイミング検出部とを備えて成るマルチキャリアＣＤＭＡ方式の移動通信システムにおける受信装置。
【請求項１０】
短周期拡散符号と長周期拡散符号群に含まれるいずれか１つの長周期拡散符号とを二重に乗積したデータ系列を、複数のサブキャリアを用いて伝送するマルチキャリアＣＤＭＡ方式の移動通信システムにおける受信装置であって、
１または複数のサブキャリアに、同期信号用拡散符号のみが乗積された同期信号を含むマルチキャリア信号を受信する信号受信部と、
前記信号受信部が受信した前記マルチキャリア信号を、複数のＦＦＴタイミングに応じてＦＦＴを行い、複数のサブキャリア成分に分離するサブキャリア分離部と、
前記サブキャリア分離部が分離した前記複数のサブキャリア成分のうち、前記同期信号に含まれるサブキャリア成分と同期信号レプリカとの相関値を求める第１の相関器と、
前記第１の相関器が求めた相関値に応じて、前記長周期拡散符号の受信タイミングとＦＦＴタイミングとを検出するタイミング検出部と、
前記タイミング検出部が検出した前記ＦＦＴタイミングに応じてＦＦＴを行い、前記マルチキャリア信号を複数のサブキャリア成分に分離するＦＦＴ回路と、
前記タイミング検出部が検出した前記長周期拡散符号の受信タイミングに応じて、前記ＦＦＴ回路が分離した複数のサブキャリア成分と、前記長周期拡散符号群に含まれる各々の長周期拡散符号と前記短周期拡散符号とを二重に乗積した符号系列との相関値を求める第２の相関器と、
前記第２の相関器が求めた前記相関値に応じて、前記マルチキャリア信号を拡散する長周期拡散符号を検出する符号検出部と、
前記タイミング検出部が検出した前記長周期拡散符号の受信タイミングと前記符号検出部が検出した前記長周期拡散符号とを用いて、前記信号受信部が受信した前記マルチキャリア信号から前記データ系列を復調する復調回路とを備えて成るマルチキャリアＣＤＭＡ方式の移動通信システムにおける受信装置。
【請求項１１】
短周期拡散符号と長周期拡散符号群に含まれるいずれか１つの長周期拡散符号とを二重に乗積したデータ系列を、複数のサブキャリアを用いて伝送するマルチキャリアＣＤＭＡ方式の移動通信システムにおける受信装置であって、
１または複数のサブキャリアに、同期信号用拡散符号のみが乗積された同期信号を含むマルチキャリア信号を受信する信号受信部と、
前記信号受信部が受信した前記マルチキャリア信号を、複数のサブキャリア成分に分離するサブキャリア分離部と、
前記サブキャリア分離部が分離した前記複数のサブキャリア成分のうち、前記同期信号を含むサブキャリア成分と同期信号レプリカとの相関値を求める相関器と、
前記相関器が求めた前記相関値に応じて、前記長周期拡散符号の受信タイミングを検出するタイミング検出部とを備えて成るマルチキャリアＣＤＭＡ方式の移動通信システムにおける受信装置。
【請求項１２】
短周期拡散符号と長周期拡散符号群に含まれるいずれか１つの長周期拡散符号とを二重に乗積したデータ系列を、複数のサブキャリアを用いて伝送するマルチキャリアＣＤＭＡ方式の移動通信システムにおける受信装置であって、
１または複数のサブキャリアに、同期信号用拡散符号のみが乗積された同期信号を含むマルチキャリア信号を受信する信号受信部と、
前記信号受信部が受信した前記マルチキャリア信号を、複数のサブキャリア成分に分離するサブキャリア分離部と、
前記サブキャリア分離部が分離した前記複数のサブキャリア成分のうち、前記同期信号を含むサブキャリア成分と同期信号レプリカとの相関値を求める第１の相関器と、
前記第１の相関器が求めた前記相関値に応じて、前記長周期拡散符号の受信タイミングを検出するタイミング検出部と、
前記タイミング検出部が検出した前記長周期拡散符号の受信タイミングに応じて、前記サブキャリア分離部が分離した前記複数のサブキャリア成分と、前記長周期拡散符号群に含まれる各々の長周期拡散符号と前記短周期拡散符号とを二重に乗積した符号系列との相関値を求める第２の相関器と、
前記第２の相関器が求めた相関値に応じて、前記マルチキャリア信号を拡散する長周期拡散符号を検出する符号検出部と、
前記タイミング検出部が検出した前記長周期拡散符号の受信タイミングと前記符号検出部が検出した前記長周期拡散符号とを用いて、前記信号受信部が受信した前記マルチキャリア信号から前記データ系列を復調する復調回路とを備えて成るマルチキャリアＣＤＭＡ方式の移動通信システムにおける受信装置。
【請求項１３】
短周期拡散符号と長周期拡散符号群に含まれるいずれか１つの長周期拡散符号とを二重に乗積したデータ系列を、複数のサブキャリアを用いて伝送するマルチキャリアＣＤＭＡ方式の移動通信システムにおける受信装置であって、
１または複数のサブキャリアに、同期信号用拡散符号のみが乗積された同期信号を含むマルチキャリア信号を受信する信号受信部と、
前記信号受信部が受信した前記マルチキャリア信号を、複数のＦＦＴタイミングそれぞれに応じてＦＦＴを行い、複数のサブキャリア成分を１組とする複数組に分離するサブキャリア分離部と、
前記サブキャリア分離部が分離した前記複数のサブキャリア成分のうち前記同期信号を含むサブキャリア成分と同期信号レプリカとの相関値を前記複数組それぞれについて求める第１の相関器と、
前記第１の相関器が求めた複数個の前記相関値に応じて、前記長周期拡散符号の複数個の受信タイミング候補を検出するタイミング検出部と、
前記タイミング検出部が検出した前記複数の長周期拡散符号の受信タイミング候補それぞれに応じて、前記複数のサブキャリア成分と、前記長周期拡散符号群に含まれる各々の長周期拡散符号と前記短周期拡散符号とを二重に乗積した符号系列との相関値を前記複数組それぞれについて求める第２の相関器と、
前記第２の相関器が求めた前記複数の相関値それぞれに応じて、前記マルチキャリア信号を拡散する複数の長周期拡散符号候補それぞれを検出する符号候補検出部と、
前記タイミング検出部が検出した複数個の受信タイミング候補と、前記符号候補検出部が検出した複数の長周期拡散符号候補とから、前記長周期拡散符号の受信タイミングと前記長周期拡散符号とを検出するタイミング及び符号検出部と、
前記タイミング及び符号検出部が検出した前記長周期拡散符号の受信タイミングと前記長周期拡散符号とを用いて、前記信号受信部が受信した前記マルチキャリア信号から前記データ系列を復調する復調回路とを備えて成るマルチキャリアＣＤＭＡ方式の移動通信システムにおける受信装置。
【請求項１４】
短周期拡散符号と長周期拡散符号群に含まれるいずれか１つの長周期拡散符号とを二重に乗積したデータ系列を、複数のサブキャリアを用いて伝送するマルチキャリアＣＤＭＡ方式の移動通信システムにおける受信装置であって、
１または複数のサブキャリアに、同期信号用拡散符号のみが乗積された同期信号を含むマルチキャリア信号を受信する信号受信部と、
前記信号受信部が受信した前記マルチキャリア信号から、それが含むガードインターバルの相関特性に基づいてＦＦＴタイミングを検出するＦＦＴタイミング検出部と、
前記ＦＦＴタイミング検出部が検出した前記ＦＦＴタイミングにおいてＦＦＴを行い、複数のサブキャリア成分に分離するサブキャリア分離部と、
前記サブキャリア分離部が分離した前記複数のサブキャリア成分のうち、前記同期信号を含むサブキャリア成分と同期信号レプリカとの相関値を求める相関器と、
前記相関器が求めた相関値に応じて、前記長周期拡散符号の受信タイミングを検出するタイミング検出部とを備えて成るマルチキャリアＣＤＭＡ方式の移動通信システムにおける受信装置。
【請求項１５】
短周期拡散符号と長周期拡散符号群に含まれるいずれか１つの長周期拡散符号とを二重に乗積したデータ系列を、複数のサブキャリアを用いて伝送するマルチキャリアＣＤＭＡ方式の移動通信システムにおける受信装置であって、
１または複数のサブキャリアに、同期信号用拡散符号のみが乗積された同期信号を含むマルチキャリア信号を受信する信号受信部と、
前記信号受信部が受信した前記マルチキャリア信号から、それが含むガードインターバルの相関特性に基づいてＦＦＴタイミングを検出するＦＦＴタイミング検出部と、
前記ＦＦＴタイミング検出部が検出した前記ＦＦＴタイミングにおいてＦＦＴを行い、複数のサブキャリア成分に分離するサブキャリア分離部と、
前記サブキャリア分離部が分離した前記複数のサブキャリア成分のうち、前記同期信号を含むサブキャリア成分と同期信号レプリカとの相関値を求める第１の相関器と、
前記第１の相関器が求めた相関値に応じて、前記長周期拡散符号の受信タイミングを検出するタイミング検出部と、
前記タイミング検出部が検出した前記長周期拡散符号の受信タイミングに応じて、前記サブキャリア分離部が分離したサブキャリア成分と、前記長周期拡散符号群に含まれる各々の長周期拡散符号と前記短周期拡散符号とを二重に乗積した符号系列との相関値を求める第２の相関器と、
前記第２の相関器が求めた前記相関値に応じて、前記マルチキャリア信号を拡散する長周期拡散符号を検出する符号検出部と、
前記タイミング検出部が検出した前記長周期拡散符号の受信タイミングと前記符号検出部が検出した前記長周期拡散符号とを用いて、前記信号受信部が受信した前記マルチキャリア信号から前記データ系列を復調する復調回路とを備えて成るマルチキャリアＣＤＭＡ方式の移動通信システムにおける受信装置。
【請求項１６】
短周期拡散符号と長周期拡散符号群に含まれるいずれか１つの長周期拡散符号とを二重に乗積したデータ系列を、複数のサブキャリアを用いて伝送する移動通信システムにおける受信方法において、
１または複数のサブキャリアに同期信号用拡散符号のみで乗積された同期信号を有する前記複数のサブキャリアが含まれる受信信号を受信する受信ステップと、
該受信ステップで受信された前記受信信号と、同期信号レプリカとの相関値を出力する相関出力ステップと、
該相関出力ステップで出力された相関値に応じて、ＦＦＴタイミングと前記長周期拡散符号の受信タイミングを検出するタイミング検出ステップとを有することを特徴とする移動通信システムにおける受信方法。
【請求項１７】
短周期拡散符号と長周期拡散符号群に含まれるいずれか１つの長周期拡散符号とを二重に乗積したデータ系列を、複数のサブキャリアを用いて伝送する移動通信システムにおける受信方法において、
１または複数のサブキャリアに同期信号用拡散符号のみで乗積された同期信号を有する前記複数のサブキャリアが含まれる受信信号を受信する受信ステップと、
該受信ステップで受信された前記受信信号を、複数のサブキャリア成分に分離する分離ステップと、
該分離ステップで分離された前記複数のサブキャリア成分のうち、前記同期信号に含まれるサブキャリア成分と同期信号レプリカとの相関値を出力する相関出力ステップと、
該相関出力ステップで出力された相関値に応じて、前記長周期拡散符号の受信タイミングを検出するタイミング検出ステップとを有することを特徴とする移動通信システムにおける受信方法。
【請求項１８】
前記分離ステップは、複数のＦＦＴタイミングに応じてＦＦＴを行い、
前記タイミング検出ステップは、全ての前記ＦＦＴタイミングについて、前記相関出力ステップで出力された相関値に応じて、目的とするＦＦＴタイミングと前記長周期拡散符号の受信タイミングを検出することを特徴とする請求項１７に記載の移動通信システムにおける受信方法。
【請求項１９】
前記タイミング検出ステップで検出された前記ＦＦＴタイミングに応じてＦＦＴを行い、前記受信信号を複数のサブキャリア成分に分離する分離ステップと、
前記タイミング検出ステップで検出された前記長周期拡散符号の受信タイミングに応じて、前記サブキャリア成分と、前記長周期拡散符号群に含まれる各々の長周期拡散符号と前記短周期拡散符号とを二重に乗積した符号系列との相関検出値を出力する相関検出ステップと、
該相関検出ステップから出力された相関検出値に応じて、前記受信信号を拡散する長周期拡散符号を検出する符号検出ステップとをさらに有することを特徴とする請求項１６又は１８に記載の移動通信システムにおける受信方法。
【請求項２０】
短周期拡散符号と長周期拡散符号群に含まれるいずれか１つの長周期拡散符号とを二重に乗積したデータ系列を、複数のサブキャリアを用いて伝送する移動通信システムにおける受信方法において、
１または複数のサブキャリアに同期信号用拡散符号のみで乗積された同期信号を有する前記複数のサブキャリアが含まれる受信信号を受信する受信ステップと、
前記受信ステップで受信された前記受信信号を、複数のＦＦＴタイミングに応じてＦＦＴを行い、複数のサブキャリア成分に分離する分離ステップと、
該分離ステップで分離された前記複数のサブキャリア成分のうち、前記同期信号に含まれるサブキャリア成分と同期信号レプリカとの相関値を出力する相関出力ステップと、
該相関出力ステップで出力された相関値に応じて、前記長周期拡散符号の受信タイミングを検出するタイミング検出ステップと、
該タイミング検出ステップで検出された前記長周期拡散符号の受信タイミングに応じて、前記サブキャリア成分と、前記長周期拡散符号群に含まれる各々の長周期拡散符号と前記短周期拡散符号とを二重に乗積した符号系列との相関検出値を出力する相関検出ステップと、
全ての前記ＦＦＴタイミングについて、前記相関検出ステップから出力された相関検出値に応じて、前記ＦＦＴタイミングと、前記長周期拡散符号の受信タイミングと、前記受信信号を拡散する長周期拡散符号とを検出する符号検出ステップとを有することを特徴とする移動通信システムにおける受信方法。
【請求項２１】
短周期拡散符号と長周期拡散符号群に含まれるいずれか１つの長周期拡散符号とを二重に乗積したデータ系列を、複数のサブキャリアを用いて伝送する移動通信システムにおける受信方法において、
受信したマルチキャリア信号から、それが含むガードインターバルの相関特性に基づいてＦＦＴタイミングを検出するＦＦＴタイミング検出ステップと、
該ＦＦＴタイミング検出ステップで得られたＦＦＴタイミングにおいて、ＦＦＴを行い、複数のサブキャリア成分に分離する分離ステップと、
該分離ステップで分離された前記複数のサブキャリア成分のうち、前記同期信号に含まれるサブキャリア成分と同期信号レプリカとの相関値を出力する相関出力ステップと、
該相関出力ステップで出力された相関値に応じて、前記長周期拡散符号の受信タイミングを検出するタイミング検出ステップとを有することを特徴とする移動通信システムにおける受信方法。
【請求項２２】
前記タイミング検出ステップで検出された長周期拡散符号の受信タイミングに応じて、前記サブキャリア成分と、前記長周期拡散符号群に含まれる各々の長周期拡散符号と前記短周期拡散符号とを二重に乗積した符号系列との相関検出値を出力する相関検出ステップと、
該相関検出ステップから出力された相関検出値に応じて、前記受信信号を拡散する長周期拡散符号を検出する符号検出ステップとをさらに有することを特徴とする請求項２１に記載の移動通信システムにおける受信方法。
【請求項２３】
短周期拡散符号と長周期拡散符号群に含まれるいずれか１つの長周期拡散符号とを二重に乗積したデータ系列を、複数のサブキャリアを用いて伝送するマルチキャリアＣＤＭＡ方式の移動通信システムにおける受信装置であって、
１または複数のサブキャリアに、同期信号用拡散符号のみが乗積された同期信号を含むマルチキャリア信号を受信する信号受信部と、
前記信号受信部が受信した前記マルチキャリア信号から、それが含むガードインターバルの相関特性に基づいて複数のＦＦＴタイミング候補を検出するＦＦＴタイミング検出部とを備え、
前記ＦＦＴタイミング検出部は、
前記マルチキャリア信号と当該マルチキャリア信号を１シンボル長遅延させた信号とを乗算する乗算部と、
前記乗算部が乗算した乗算値を１ガードインターバル長に渡り積分して相関値を得る積分器と、
前記積分器が求めた相関値とそのタイミングとを記憶する第１のメモリと、
順次与えられる複数のＦＦＴタイミング候補を記憶する第２のメモリと、
前記第２のメモリに記憶されている複数のＦＦＴタイミング候補及び前記第１のメモリの記憶値に基づいて前記複数のＦＦＴタイミング候補それぞれのサーチ範囲を設定するサーチ範囲設定部と、
始めに、前記第１のメモリの記憶値から最大相関値及びタイミングを選択し、前記ＦＦＴタイミング候補＃１として前記第２のメモリに記憶し、次に、前記サーチ範囲設定部に、前記第２のメモリに記憶されているＦＦＴタイミング候補及び前記第１のメモリの記憶値に基づいてサーチ範囲を設定させ、当該サーチ範囲内で前記第１のメモリの記憶値から最大相関値及びタイミングを選択し、ＦＦＴタイミング候補＃２として前記第２のメモリに記憶させ、同様の手順で、あらかじめ設定された所定個数のＦＦＴタイミング候補を検出するまで検出を繰り返すタイミング検出回路とを備えて成るマルチキャリアＣＤＭＡ方式の移動通信システムにおける受信装置。
【請求項２４】
請求項２３に記載のマルチキャリアＣＤＭＡ方式の移動通信システムにおける受信装置において、
前記ＦＦＴタイミング検出部が検出した前記所定個数のＦＦＴタイミング候補それぞれにおいて前記マルチキャリア信号に対してＦＦＴを行い、複数のサブキャリア成分に分離する複数のサブキャリア分離部と、
前記複数のサブキャリア分離部それぞれが分離した前記複数のサブキャリア成分のうち、前記同期信号を含むサブキャリア成分と同期信号レプリカとの相関値を求める複数の第１の相関器と、
前記複数の第１の相関器それぞれが求めた相関値に応じて、長周期拡散符号の受信タイミング候補を検出する複数のタイミング検出部と、
前記複数のタイミング検出部それぞれが検出した前記複数の長周期拡散符号の受信タイミング候補それぞれに応じて、前記複数のサブキャリア成分と、前記長周期拡散符号群に含まれる各々の長周期拡散符号と前記短周期拡散符号とを二重に乗積した符号系列との相関値を求める複数の第２の相関器と、
前記複数の第２の相関器それぞれが求めた前記複数の相関値それぞれに応じて、前記マルチキャリア信号を拡散する複数の長周期拡散符号候補それぞれを検出する複数の符号候補検出部と、
前記複数のタイミング検出部が検出した前記複数の受信タイミング候補と、前記複数の符号候補検出部が検出した前記複数の長周期拡散符号候補とから、前記長周期拡散符号の受信タイミングと前記長周期拡散符号とを検出するタイミング及び符号検出部と、
前記タイミング及び符号検出部が検出した前記長周期拡散符号の受信タイミングと前記長周期拡散符号とを用いて、前記信号受信部が受信した前記マルチキャリア信号から前記データ系列を復調する復調回路とを備えて成るマルチキャリアＣＤＭＡ方式の移動通信システムにおける受信装置。
【請求項２５】
請求項２３に記載のマルチキャリアＣＤＭＡ方式の移動通信システムにおける受信装置において、
前記ＦＦＴタイミング検出部が検出した前記所定個数のＦＦＴタイミング候補それぞれにおいて前記マルチキャリア信号に対してＦＦＴを行い、複数のサブキャリア成分に分離する複数の第１のＦＦＴ回路と、
前記複数の第１のＦＦＴ回路それぞれが分離した前記複数のサブキャリア成分のうち、前記同期信号を含むサブキャリア成分と同期信号レプリカとの相関値を求める複数の第１の相関器と、
前記複数の第１の相関器それぞれが求めた相関値に応じて、前記長周期拡散符号の受信タイミングとＦＦＴタイミングとを検出するタイミング検出部と、
前記タイミング検出部が検出した前記ＦＦＴタイミングに応じてＦＦＴを行い、前記マルチキャリア信号を複数のサブキャリア成分に分離する第２のＦＦＴ回路と、
前記タイミング検出部が検出した前記長周期拡散符号の受信タイミングに応じて、前記第２のＦＦＴ回路が分離した複数のサブキャリア成分と、前記長周期拡散符号群に含まれる各々の長周期拡散符号と前記短周期拡散符号とを二重に乗積した符号系列との相関値を求める第２の相関器と、
前記第２の相関器が求めた前記相関値に応じて、前記マルチキャリア信号を拡散する長周期拡散符号を検出する符号検出部と、
前記タイミング検出部が検出した前記長周期拡散符号の受信タイミングと前記符号検出部が検出した前記長周期拡散符号とを用いて、前記信号受信部が受信した前記マルチキャリア信号から前記データ系列を復調する復調回路とを備えて成るマルチキャリアＣＤＭＡ方式の移動通信システムにおける受信装置。
【請求項２６】
符号系列を、複数のサブキャリアを用いて伝送する移動通信システムにおける信号の受信方法において、
ガードインターバルの相関特性より、複数のＦＦＴタイミング候補を検出するステップを有する移動通信システムにおける信号の受信方法。
【請求項２７】
請求項２６に記載の移動通信システムにおける信号の受信方法において、
受信信号と、受信信号を１シンボル長遅延させた信号とを乗算するステップと、
得られた乗算値を、平均区間をガードインターバル長として移動平均するステップと、
移動平均により得られた複数の相関値の相関系列をガードインターバル挿入周期毎に同相加算するステップと、
同相加算により得られたガードインターバル挿入周期と等しい長さの相関系列の中から複数個のＦＦＴタイミング候補を検出するステップとを有する移動通信システムにおける信号の受信方法。
【請求項２８】
請求項２７に記載の移動通信システムにおける信号の受信方法において、
同相加算により得られたガードインターバル挿入周期と等しい長さの相関系列の中で、最大の相関値を有するタイミングを第１のＦＦＴタイミング候補とするステップと、
第２以降のＦＦＴタイミング候補各々は、既に検出されたＦＦＴタイミング候補各々の周辺Ｗサンプルを除外ウィンドウとして除外した残りの相関系列の中で最大の相関値を有するタイミングを次のＦＦＴタイミング候補とする方法を繰り返すことによって、所定個数分まで検出するステップとを有する移動通信システムにおける信号の受信方法。
【請求項２９】
請求項２８に記載の移動通信システムにおける信号の受信方法において、
前記除外ウィンドウは、ウィンドウを設定する際に既に検出されているＦＦＴタイミング候補を中心として、あらかじめ設定されたＷ／２サンプルずつの幅で前後に設定することを特徴とする移動通信システムにおける信号の受信方法。
【請求項３０】
請求項２８に記載の移動通信システムにおける信号の受信方法において、
前記除外ウィンドウのサンプル数Ｗ及びその位置は、当該除外ウィンドウを設定する際に既に検出されているＦＦＴタイミング候補の位置を頂点とする相関系列の傾きの大きさに基づいて設定することを特徴とする移動通信システムにおける信号の受信方法。
【請求項３１】
請求項２８に記載の移動通信システムにおける信号の受信方法において、
前記除外ウィンドウのサンプル数Ｗ及びその位置は、当該除外ウィンドウを設定する際に既に検出されているＦＦＴタイミング候補における相関値の大きさに基づいて設定することを特徴とする移動通信システムにおける信号の受信方法。
【請求項３２】
請求項２８〜３１に記載の移動通信システムにおける信号の受信方法において、
検出したＦＦＴタイミング候補の前後に、複数のＦＦＴタイミング候補を設けるステップを有することを特徴とする移動通信システムにおける信号の受信方法。
【請求項３３】
請求項２７〜３２に記載の移動通信システムにおける信号の受信方法において、
複数のＦＦＴタイミング候補においてＦＦＴを行い、複数のサブキャリア成分に分離するステップと、
分離された複数のサブキャリア成分のうち、同期信号が含まれるサブキャリア成分と同期信号レプリカとの相関値を出力するステップと、
出力された相関値に応じて、長周期拡散符号の受信タイミング候補を１又は複数個検出するステップと、
検出された１又は複数個の長周期拡散符号の受信タイミング候補に応じて、サブキャリア成分と、長周期拡散符号群に含まれる各々の長周期拡散符号と短周期拡散符号とを二重に乗積した符号系列との相関検出値を出力するステップと、
検出したすべてのＦＦＴタイミング候補について、出力された相関検出値に応じて、ＦＦＴタイミングと長周期拡散符号の受信タイミングと受信信号を拡散する長周期拡散符号とを検出するステップとを有することを特徴とする移動通信システムおける信号の受信方法。
【請求項３４】
短周期拡散符号と長周期拡散符号群に含まれるいずれか１つの長周期拡散符号とを二重に乗積したデータ系列を、複数のサブキャリアを用いて伝送する移動通信システムにおける信号の受信方法において、
ＦＦＴ等の処理により受信信号を各サブキャリア成分に分離した信号と前記長周期拡散符号群に含まれる各々の長周期拡散符号と前記短周期拡散符号とを二重に乗積した符号系列との相関検出値を出力する際に、
サブキャリア毎に各シンボルの相関値を時間方向にNavgシンボル（Navgは１以上の整数）同相加算し、
サブキャリア毎の同相加算値を周波数方向に隣接するNcsサブキャリア（Ncsは、１≦Ncs≦Ｎなる整数。ただし、Ｎはサブキャリア数）にわたり同相加算し、
Ncsサブキャリア毎の同相加算値を周波数方向にNps個（Npsは、１≦Nps≦Ｎ/Ncsなる整数）電力加算することにより平均相関値を検出することを特徴とする移動通信システムにおける信号の受信方法。
【請求項３５】
Nps＜（Ｎ/Ncs）の場合、（Ｎ/Ncs）/Nps個の長周期拡散符号を周波数方向にNcsサブキャリア毎に交互に相関検出することを特徴とする請求項３４に記載の移動通信システムにおける信号の受信方法。
【発明の詳細な説明】
【０００１】
【発明の属する技術分野】
本発明は、長周期拡散符号（スクランブルコード）を用いたマルチキャリアＣＤＭＡ方式において、受信側で拡散符号同期を行うための移動通信システムにおける送信技術及び受信技術に関する。
【０００２】
【従来の技術】
以下の説明では、「スクランブルコード」とは、請求項中の「長周期拡散符号」である。
【０００３】
マルチキャリアＣＤＭＡ（Multi  Carrier  Code  Division  Multiple  Access：ＭＣ−ＣＤＭＡ）方式やＯＦＤＭ（Orthogonal  Frequency  Division  Multiplexing）変調方式などのマルチキャリア伝送方式では、送信側で情報信号を複数のサブキャリアで変調し、マルチパス遅延波による波形歪みを低減する目的で送信信号にガードインターバルを挿入する。
【０００４】
図１は、従来のＭＣ−ＣＤＭＡ方式の送信装置１０００の構成を示している。この送信装置１０００は、適数台のデータチャネル生成回路１００を備えている。データチャネル生成回路１００各々では、送信データ発生部１０１から入力された送信データ系列を伝送路符号化器１０２において符号化し、データ変調部１０３においてデータ変調する。そして、変調されたデータ系列に多重部１０４においてパイロットシンボルを多重し、直並列変換部１０５において直並列変換して周波数軸上のＮ／ＳＦ個の情報シンボル系列にする。直並列変換された周波数軸上のＮ／ＳＦ個の情報シンボル系列は、コピー部１０６によって情報シンボル毎に短周期拡散符号の系列長と等しいシンボル数ＳＦ個ずつコピーされ、周波数軸上に並べられる。並べられた周波数軸上のＮ個の情報シンボル系列に対して、乗算器１０８にて短周期拡散符号生成器１０７の作成した短周期拡散符号を乗算する。
【０００５】
合成部１０９において、データチャネル生成回路１００各々から出力される各短周期拡散符号（ショートコード）の乗算された系列長Ｎの周波数軸上のシンボル系列を多重する。多重された系列長Ｎのシンボル系列に対して、Ｎ個の乗算器１１１各々においてスクランブルコード生成器１１０の出力するスクランブルコードを周波数方向に乗算し、逆フーリエ変換回路（ＩＦＦＴ）１１３に入力する。
【０００６】
逆フーリエ変換回路１１３は、Ｎ個のサブキャリアの直交マルチキャリア信号に変換する。そして、このマルチキャリア信号にガードインターバル挿入器１１４によってＧＩを挿入する。そして送信装置１０００はこのガードインターバル挿入器１１４の出力するマルチキャリア信号を無線信号にして空間に送出する。
【０００７】
受信側である移動局では、送信装置１０００から送信される無線マルチキャリア信号を受信し、受信したマルチキャリア信号から送信側で挿入されたガードインターバルを除去する。受信側ではさらに、ガードインターバルの除去されたマルチキャリア信号に対してＦＦＴ（Fast  Fourier  Transform）を行ってＮ個のサブキャリア成分に分離し、復調する。このため、受信側ではＦＦＴ前にガードインターバル部分の受信タイミング、すなわちＦＦＴタイミングを検出する必要がある。
【０００８】
ＯＦＤＭ変調方式を用いたマルチキャリア伝送方式におけるＦＦＴタイミングの検出方式として、１シンボル毎に挿入されているガードインターバル部分の相関をとることによりＦＦＴタイミングを検出する方法が知られている（「マルチキャリア変調信号のシンボル同期・周波数オフセット同時推定方式」、毛利、岡田、原、小牧、森永、情報通信学会技報  ＲＣＳ９５−７０、ｐｐ．９−１６、１９９５−０９）。また、タイミング検出用信号として、同じ信号を２回繰り返して送信し、受信側で２シンボル間の相関をとることによりＦＦＴタイミングを検出する方法が知られている（「高速無線ＬＡＮ用ＯＦＤＭ変調方式の同期系に関する検討」、鬼沢、溝口、熊谷、高梨、守倉、情報通信学会技報  ＲＣＳ９７−２１０、ｐｐ．１３７−１４２、１９９８−０１）。
【０００９】
ＭＣ−ＣＤＭＡ方式では、通信者の識別は、通信者毎に割り当てられた短周期拡散符号で行う。このため、複数の通信者が同一の周波数帯を用いて同時に通信を行うことができる。
【００１０】
【発明が解決しようとする課題】
上述したＭＣ−ＣＤＭＡ方式を移動通信に用いる場合、基地局の識別を行うためにスクランブルコードを用いる必要がある。このため、ＭＣ−ＣＤＭＡ方式のための受信装置はＦＦＴタイミングの検出と共にスクランブルコードの同定ができなければならない。これを可能にするためには、移動局側では、システムで用意される全てのスクランブルコードに対して相関を検出し、接続すべき基地局の信号に乗算されているスクランブルコードを検出する必要がある。柔軟なスクランブルコード割当てを考慮すると、システムで用意されるスクランブルコード数は数百程度となる。これに対応しようとすれば、移動局が通信を開始する際に、スクランブルコードの検出に長時間を要してしまうことになる。しかしながら、現在までのところ、ＭＣ−ＣＤＭＡの研究は主にリンクレベルの評価に関連するものであり、スクランブルコードの同定に関連するものは見られない。
【００１１】
本発明は、このような問題点を解決するためになされたもので、その目的とするところは、複数の基地局それぞれを識別するためのスクランブルコードを用いたＭＣ−ＣＤＭＡ方式において、受信局側において拡散符号を高速・高精度に検出することができる移動通信システムにおける送信技術及び受信技術を提供することにある。
【００１２】
本発明はまた、ＭＣ−ＣＤＭＡ方式の移動通信システムにおいて、受信側で最適な基地局として複数の候補を設けることにより最適セルのＦＦＴタイミングを検出することができる信号の受信技術を提供することを目的とする。
【００１３】
【課題を解決するための手段】
かかる目的を達成するための本発明の第１の特徴は、複数の送信用データ系列それぞれに複数の短周期拡散符号それぞれを乗積する短周期拡散符号乗積部と、前記短周期拡散符号乗積部から出力される短周期拡散符号の乗積された前記複数の送信用データ系列それぞれに共通する長周期拡散符号を乗積する長周期拡散符号乗積部と、同期信号用データに同期信号用拡散符号を乗積して出力する同期信号生成部と、前記長周期拡散符号乗積部から出力される短周期拡散符号と長周期拡散符号とが二重に乗積された前記送信用データ系列それぞれを、複数のサブキャリアを用いて送出すると共に、前記同期信号生成部の出力する同期信号用データに同期信号用拡散符号のみが乗積された同期信号を、１または複数のサブキャリアを用いて送出する送信処理部とを備えて成るＭＣ−ＣＤＭＡ方式の移動通信システムにおける送信装置である。
【００１４】
本発明の第２の特徴は、短周期拡散符号と長周期拡散符号とを二重に乗積したデータ系列を、複数のサブキャリアを用いて送信すると共に、同期信号用拡散符号のみで乗積された同期信号を、１または複数のサブキャリアを用いて送信することを特徴とする移動通信システムにおける送信方法である。
【００１５】
本発明の第３の特徴は、短周期拡散符号と長周期拡散符号群に含まれるいずれか１つの長周期拡散符号とを二重に乗積したデータ系列を、複数のサブキャリアを用いて伝送するＭＣ−ＣＤＭＡ方式の移動通信システムにおける受信装置であって、１または複数のサブキャリアに、同期信号用拡散符号のみが乗積された同期信号を含むマルチキャリア信号を受信する信号受信部と、前記信号受信部が受信した前記マルチキャリア信号と、同期信号レプリカとの相関値を求める相関器と、前記相関器が求めた前記相関値に応じて、ＦＦＴタイミングと前記長周期拡散符号の受信タイミングとを検出するタイミング検出部とを備えたものである。
【００１６】
本発明の第４の特徴は、短周期拡散符号と長周期拡散符号群に含まれるいずれか１つの長周期拡散符号とを二重に乗積したデータ系列を、複数のサブキャリアを用いて伝送するＭＣ−ＣＤＭＡ方式の移動通信システムにおける受信装置であって、１または複数のサブキャリアに、同期信号用拡散符号のみが乗積された同期信号を含むマルチキャリア信号を受信する信号受信部と、前記信号受信部が受信した前記マルチキャリア信号と、同期信号レプリカとの相関値を求める第１の相関器と、前記第１の相関器が求めた前記相関値に応じて、ＦＦＴタイミングと前記長周期拡散符号の受信タイミングとを検出するタイミング検出部と、前記タイミング検出部が検出した前記ＦＦＴタイミングに応じてＦＦＴを行い、前記マルチキャリア信号を複数のサブキャリア成分に分離するＦＦＴ回路と、前記タイミング検出部が検出した前記長周期拡散符号の受信タイミングに応じて、前記ＦＦＴ回路が分離した前記複数のサブキャリア成分と、前記長周期拡散符号群に含まれる各々の長周期拡散符号と前記短周期拡散符号とを二重に乗積した符号系列との相関値を求める第２の相関器と、前記第２の相関器が求めた前記相関値に応じて、前記マルチキャリア信号を拡散する長周期拡散符号を検出する符号検出部と、前記タイミング検出部が検出した前記長周期拡散符号の受信タイミングと前記符号検出部が検出した前記長周期拡散符号とを用いて、前記信号受信部が受信した前記マルチキャリア信号から前記データ系列を復調する復調回路とを備えたものである。
【００１７】
本発明の第５の特徴は、短周期拡散符号と長周期拡散符号群に含まれるいずれか１つの長周期拡散符号とを二重に乗積したデータ系列を、複数のサブキャリアを用いて伝送するＭＣ−ＣＤＭＡ方式の移動通信システムにおける受信装置であって、１または複数のサブキャリアに、同期信号用拡散符号のみが乗積された同期信号を含むマルチキャリア信号を受信する信号受信部と、前記信号受信部が受信した前記マルチキャリア信号を、複数のサブキャリア成分に分離するサブキャリア分離部と、前記サブキャリア分離部が分離した前記複数のサブキャリア成分のうち、前記同期信号を含むサブキャリア成分と同期信号レプリカとの相関値を求める相関器と、前記相関器が求めた前記相関値に応じて、前記長周期拡散符号の受信タイミングを検出するタイミング検出部とを備えたものである。
【００１８】
本発明の第６の特徴は、短周期拡散符号と長周期拡散符号群に含まれるいずれか１つの長周期拡散符号とを二重に乗積したデータ系列を、複数のサブキャリアを用いて伝送するＭＣ−ＣＤＭＡ方式の移動通信システムにおける受信装置であって、１または複数のサブキャリアに、同期信号用拡散符号のみが乗積された同期信号を含むマルチキャリア信号を受信する信号受信部と、前記信号受信部が受信した前記マルチキャリア信号を、複数のＦＦＴタイミングに応じてＦＦＴを行い、複数のサブキャリア成分に分離するサブキャリア分離部と、前記サブキャリア分離部が分離した前記複数のサブキャリア成分のうち、前記同期信号に含まれるサブキャリア成分と同期信号レプリカとの相関値を求める相関器と、前記相関器が求めた相関値に応じて、前記長周期拡散符号の受信タイミングとＦＦＴタイミングとを検出するタイミング検出部とを備えたものである。
【００１９】
本発明の第７の特徴は、短周期拡散符号と長周期拡散符号群に含まれるいずれか１つの長周期拡散符号とを二重に乗積したデータ系列を、複数のサブキャリアを用いて伝送するＭＣ−ＣＤＭＡ方式の移動通信システムにおける受信装置であって、１または複数のサブキャリアに、同期信号用拡散符号のみが乗積された同期信号を含むマルチキャリア信号を受信する信号受信部と、前記信号受信部が受信した前記マルチキャリア信号を、複数のサブキャリア成分に分離するサブキャリア分離部と、前記サブキャリア分離部が分離した前記複数のサブキャリア成分のうち、前記同期信号を含むサブキャリア成分と同期信号レプリカとの相関値を求める第１の相関器と、前記第１の相関器が求めた前記相関値に応じて、前記長周期拡散符号の受信タイミングを検出するタイミング検出部と、前記タイミング検出部が検出した前記長周期拡散符号の受信タイミングに応じて、前記サブキャリア分離部が分離した前記複数のサブキャリア成分と、前記長周期拡散符号群に含まれる各々の長周期拡散符号と前記短周期拡散符号とを二重に乗積した符号系列との相関値を求める第２の相関器と、前記第２の相関器が求めた相関値に応じて、前記マルチキャリア信号を拡散する長周期拡散符号を検出する符号検出部と、前記タイミング検出部が検出した前記長周期拡散符号の受信タイミングと前記符号検出部が検出した前記長周期拡散符号とを用いて、前記信号受信部が受信した前記マルチキャリア信号から前記データ系列を復調する復調回路とを備えたものである。
【００２０】
本発明の第８の特徴は、短周期拡散符号と長周期拡散符号群に含まれるいずれか１つの長周期拡散符号とを二重に乗積したデータ系列を、複数のサブキャリアを用いて伝送するＭＣ−ＣＤＭＡ方式の移動通信システムにおける受信装置であって、１または複数のサブキャリアに、同期信号用拡散符号のみが乗積された同期信号を含むマルチキャリア信号を受信する信号受信部と、前記信号受信部が受信した前記マルチキャリア信号を、複数のＦＦＴタイミングに応じてＦＦＴを行い、複数のサブキャリア成分に分離するサブキャリア分離部と、前記サブキャリア分離部が分離した前記複数のサブキャリア成分のうち、前記同期信号に含まれるサブキャリア成分と同期信号レプリカとの相関値を求める第１の相関器と、前記第１の相関器が求めた相関値に応じて、前記長周期拡散符号の受信タイミングとＦＦＴタイミングとを検出するタイミング検出部と、前記タイミング検出部が検出した前記ＦＦＴタイミングに応じてＦＦＴを行い、前記マルチキャリア信号を複数のサブキャリア成分に分離するＦＦＴ回路と、前記タイミング検出部が検出した前記長周期拡散符号の受信タイミングに応じて、前記ＦＦＴ回路が分離した複数のサブキャリア成分と、前記長周期拡散符号群に含まれる各々の長周期拡散符号と前記短周期拡散符号とを二重に乗積した符号系列との相関値を求める第２の相関器と、前記第２の相関器が求めた前記相関値に応じて、前記マルチキャリア信号を拡散する長周期拡散符号を検出する符号検出部と、前記タイミング検出部が検出した前記長周期拡散符号の受信タイミングと前記符号検出部が検出した前記長周期拡散符号とを用いて、前記信号受信部が受信した前記マルチキャリア信号から前記データ系列を復調する復調回路とを備えたものである。
【００２１】
本発明の第９の特徴は、短周期拡散符号と長周期拡散符号群に含まれるいずれか１つの長周期拡散符号とを二重に乗積したデータ系列を、複数のサブキャリアを用いて伝送するＭＣ−ＣＤＭＡ方式の移動通信システムにおける受信装置であって、１または複数のサブキャリアに、同期信号用拡散符号のみが乗積された同期信号を含むマルチキャリア信号を受信する信号受信部と、前記信号受信部が受信した前記マルチキャリア信号を、複数のＦＦＴタイミングそれぞれに応じてＦＦＴを行い、複数組の複数のサブキャリア成分に分離するサブキャリア分離部と、前記サブキャリア分離部が分離した前記複数のサブキャリア成分のうち、前記同期信号を含むサブキャリア成分と同期信号レプリカとの相関値を求める第１の相関器と、前記相関器が求めた前記相関値に応じて、前記長周期拡散符号の複数個の受信タイミング候補を検出するタイミング検出部と、前記タイミング検出部が検出した前記複数の長周期拡散符号の受信タイミングそれぞれに応じて、前記複数組それぞれの複数のサブキャリア成分と、前記長周期拡散符号群に含まれる各々の長周期拡散符号と前記短周期拡散符号とを二重に乗積した符号系列との相関値を求める第２の相関器と、前記第２の相関器が求めた前記複数の相関値それぞれに応じて、前記マルチキャリア信号を拡散する複数の長周期拡散符号候補それぞれを検出する符号候補検出部と、前記タイミング検出部が検出した複数個の受信タイミング候補と、前記符号候補検出部が検出した複数の長周期拡散符号候補とから、前記長周期拡散符号の受信タイミングと前記長周期拡散符号とを検出するタイミング及び符号検出部と、前記タイミング及び符号検出部が検出した前記長周期拡散符号の受信タイミングと前記長周期拡散符号とを用いて、前記信号受信部が受信した前記マルチキャリア信号から前記データ系列を復調する復調回路とを備えたものである。
【００２２】
本発明の第１０の特徴は、短周期拡散符号と長周期拡散符号群に含まれるいずれか１つの長周期拡散符号とを二重に乗積したデータ系列を、複数のサブキャリアを用いて伝送するＭＣ−ＣＤＭＡ方式の移動通信システムにおける受信装置であって、１または複数のサブキャリアに、同期信号用拡散符号のみが乗積された同期信号を含むマルチキャリア信号を受信する信号受信部と、前記信号受信部が受信した前記マルチキャリア信号のガードインターバル部分の相関を検出し、ＦＦＴタイミングを検出するＦＦＴタイミング検出部と、前記ＦＦＴタイミング検出部が検出した前記ＦＦＴタイミングにおいてＦＦＴを行い、複数のサブキャリア成分に分離するサブキャリア分離部と、前記サブキャリア分離部が分離した前記複数のサブキャリア成分のうち、前記同期信号を含むサブキャリア成分と同期信号レプリカとの相関値を求める相関器と、前記相関器が求めた相関値に応じて、前記長周期拡散符号の受信タイミングを検出するタイミング検出部とを備えたものである。
【００２３】
本発明の第１１の特徴は、短周期拡散符号と長周期拡散符号群に含まれるいずれか１つの長周期拡散符号とを二重に乗積したデータ系列を、複数のサブキャリアを用いて伝送するＭＣ−ＣＤＭＡ方式の移動通信システムにおける受信装置であって、１または複数のサブキャリアに、同期信号用拡散符号のみが乗積された同期信号を含むマルチキャリア信号を受信する信号受信部と、前記信号受信部が受信した前記マルチキャリア信号から、それが含むガードインターバルの相関特性に基づいてＦＦＴタイミングを検出するＦＦＴタイミング検出部と、前記ＦＦＴタイミング検出部が検出した前記ＦＦＴタイミングにおいてＦＦＴを行い、複数のサブキャリア成分に分離するサブキャリア分離部と、前記サブキャリア分離部が分離した前記複数のサブキャリア成分のうち、前記同期信号を含むサブキャリア成分と同期信号レプリカとの相関値を求める第１の相関器と、前記第１の相関器が求めた相関値に応じて、前記長周期拡散符号の受信タイミングを検出するタイミング検出部と、前記タイミング検出部が検出した前記長周期拡散符号の受信タイミングに応じて、前記サブキャリア分離部が分離したサブキャリア成分と、前記長周期拡散符号群に含まれる各々の長周期拡散符号と前記短周期拡散符号とを二重に乗積した符号系列との相関値を求める第２の相関器と、前記第２の相関器が求めた前記相関値に応じて、前記マルチキャリア信号を拡散する長周期拡散符号を検出する符号検出部と、前記タイミング検出部が検出した前記長周期拡散符号の受信タイミングと前記符号検出部が検出した前記長周期拡散符号とを用いて、前記信号受信部が受信した前記マルチキャリア信号から前記データ系列を復調する復調回路とを備えたものである。
【００２４】
本発明の第１２の特徴は、短周期拡散符号と長周期拡散符号群に含まれるいずれか１つの長周期拡散符号とを二重に乗積したデータ系列を、複数のサブキャリアを用いて伝送する移動通信システムにおける受信方法において、１または複数のサブキャリアに同期信号用拡散符号のみで乗積された同期信号を有する前記複数のサブキャリアが含まれる受信信号を受信する受信ステップと、該受信ステップで受信された前記受信信号と、同期信号レプリカとの相関値を出力する相関出力ステップと、該相関出力ステップで出力された相関値に応じて、ＦＦＴタイミングと前記長周期拡散符号の受信タイミングを検出するタイミング検出ステップとを有するものである。
【００２５】
上記の移動通信システムにおける受信方法においては、さらに、前記タイミング検出ステップで検出された前記ＦＦＴタイミングに応じてＦＦＴを行い、前記受信信号を複数のサブキャリア成分に分離する分離ステップと、前記タイミング検出ステップで検出された前記長周期拡散符号の受信タイミングに応じて、前記サブキャリア成分と、前記長周期拡散符号群に含まれる各々の長周期拡散符号と前記短周期拡散符号とを二重に乗積した符号系列との相関検出値を出力する相関検出ステップと、該相関検出ステップから出力された相関検出値に応じて、前記受信信号を拡散する長周期拡散符号を検出する符号検出ステップとを有するものとすることができる。
【００２６】
本発明の第１３の特徴は、短周期拡散符号と長周期拡散符号群に含まれるいずれか１つの長周期拡散符号とを二重に乗積したデータ系列を、複数のサブキャリアを用いて伝送する移動通信システムにおける受信方法において、１または複数のサブキャリアに同期信号用拡散符号のみで乗積された同期信号を有する前記複数のサブキャリアが含まれる受信信号を受信する受信ステップと、該受信ステップで受信された前記受信信号を、複数のサブキャリア成分に分離する分離ステップと、該分離ステップで分離された前記複数のサブキャリア成分のうち、前記同期信号に含まれるサブキャリア成分と同期信号レプリカとの相関値を出力する相関出力ステップと、該相関出力ステップで出力された相関値に応じて、前記長周期拡散符号の受信タイミングを検出するタイミング検出ステップとを有するものである。
【００２７】
上記の移動通信システムにおける受信方法において、前記分離ステップは、複数のＦＦＴタイミングに応じてＦＦＴを行い、前記タイミング検出ステップは、全ての前記ＦＦＴタイミングについて、前記相関出力ステップで出力された相関値に応じて、目的とするＦＦＴタイミングと前記長周期拡散符号の受信タイミングを検出し、さらに、前記タイミング検出ステップで検出された前記ＦＦＴタイミングに応じてＦＦＴを行い、前記受信信号を複数のサブキャリア成分に分離する分離ステップと、前記タイミング検出ステップで検出された前記長周期拡散符号の受信タイミングに応じて、前記サブキャリア成分と、前記長周期拡散符号群に含まれる各々の長周期拡散符号と前記短周期拡散符号とを二重に乗積した符号系列との相関検出値を出力する相関検出ステップと、該相関検出ステップから出力された相関検出値に応じて、前記受信信号を拡散する長周期拡散符号を検出する符号検出ステップとを有するものとすることができる。
【００２８】
本発明の第１４の特徴は、短周期拡散符号と長周期拡散符号群に含まれるいずれか１つの長周期拡散符号とを二重に乗積したデータ系列を、複数のサブキャリアを用いて伝送する移動通信システムにおける受信方法において、１または複数のサブキャリアに同期信号用拡散符号のみで乗積された同期信号を有する前記複数のサブキャリアが含まれる受信信号を受信する受信ステップと、前記受信ステップで受信された前記受信信号を、複数のＦＦＴタイミングに応じてＦＦＴを行い、複数のサブキャリア成分に分離する分離ステップと、該分離ステップで分離された前記複数のサブキャリア成分のうち、前記同期信号に含まれるサブキャリア成分と同期信号レプリカとの相関値を出力する相関出力ステップと、該相関出力ステップで出力された相関値に応じて、前記長周期拡散符号の受信タイミングを検出するタイミング検出ステップと、該タイミング検出ステップで検出された前記長周期拡散符号の受信タイミングに応じて、前記サブキャリア成分と、前記長周期拡散符号群に含まれる各々の長周期拡散符号と前記短周期拡散符号とを二重に乗積した符号系列との相関検出値を出力する相関検出ステップと、全ての前記ＦＦＴタイミングについて、前記相関検出ステップから出力された相関検出値に応じて、前記ＦＦＴタイミングと、前記長周期拡散符号の受信タイミングと、前記受信信号を拡散する長周期拡散符号とを検出する符号検出ステップとを有するものである。
【００２９】
本発明の第１５の特徴は、短周期拡散符号と長周期拡散符号群に含まれるいずれか１つの長周期拡散符号とを二重に乗積したデータ系列を、複数のサブキャリアを用いて伝送する移動通信システムにおける受信方法において、受信信号のガードインターバル部分の相関を検出し、ＦＦＴタイミングを検出するＦＦＴタイミング検出ステップと、該ＦＦＴタイミング検出ステップで得られたＦＦＴタイミングにおいて、ＦＦＴを行い、複数のサブキャリア成分に分離する分離ステップと、該分離ステップで分離された前記複数のサブキャリア成分のうち、前記同期信号に含まれるサブキャリア成分と同期信号レプリカとの相関値を出力する相関出力ステップと、該相関出力ステップで出力された相関値に応じて、前記長周期拡散符号の受信タイミングを検出するタイミング検出ステップとを有するものである。
【００３０】
上記の移動通信システムにおける受信方法においては、さらに、前記タイミング検出ステップで検出された長周期拡散符号の受信タイミングに応じて、前記サブキャリア成分と、前記長周期拡散符号群に含まれる各々の長周期拡散符号と前記短周期拡散符号とを二重に乗積した符号系列との相関検出値を出力する相関検出ステップと、該相関検出ステップから出力された相関検出値に応じて、前記受信信号を拡散する長周期拡散符号を検出する符号検出ステップとを有するものとすることができる。
【００３１】
本発明の第１６の特徴は、短周期拡散符号と長周期拡散符号群に含まれるいずれか１つの長周期拡散符号とを二重に乗積したデータ系列を、複数のサブキャリアを用いて伝送するＭＣ−ＣＤＭＡ方式の移動通信システムにおける受信装置であって、１または複数のサブキャリアに、同期信号用拡散符号のみが乗積された同期信号を含むマルチキャリア信号を受信する信号受信部と、前記信号受信部が受信した前記マルチキャリア信号から、それが含むガードインターバルの相関特性に基づいて複数のＦＦＴタイミング候補を検出するＦＦＴタイミング検出部とを備え、前記ＦＦＴタイミング検出部は、前記マルチキャリア信号と当該マルチキャリア信号を１シンボル長遅延させた信号とを乗算する乗算部と、前記乗算部が乗算した乗算値を１ガードインターバル長に渡り積分して相関値を得る積分器と、前記積分器が求めた相関値とそのタイミングとを記憶する第１のメモリと、順次与えられる複数のＦＦＴタイミング候補を記憶する第２のメモリと、前記第２のメモリに記憶されている複数のＦＦＴタイミング候補及び前記第１のメモリの記憶値に基づいて前記複数のＦＦＴタイミング候補それぞれのサーチ範囲を設定するサーチ範囲設定部と、始めに、前記第１のメモリの記憶値から最大相関値及びタイミングを選択し、前記ＦＦＴタイミング候補＃１として前記第２のメモリに記憶し、次に、前記サーチ範囲設定部に、前記第２のメモリに記憶されているＦＦＴタイミング候補及び前記第１のメモリの記憶値に基づいてサーチ範囲を設定させ、当該サーチ範囲内で前記第１のメモリの記憶値から最大相関値及びタイミングを選択し、ＦＦＴタイミング候補＃２として前記第２のメモリに記憶させ、同様の手順で、あらかじめ設定された所定個数のＦＦＴタイミング候補を検出するまで検出を繰り返すタイミング検出回路とを備えたものである。
【００３２】
上記のＭＣ−ＣＤＭＡ方式の移動通信システムにおける受信装置においては、さらに、前記ＦＦＴタイミング検出部が検出した前記所定個数のＦＦＴタイミング候補それぞれにおいて前記マルチキャリア信号に対してＦＦＴを行い、複数のサブキャリア成分に分離する複数のサブキャリア分離部と、前記複数のサブキャリア分離部それぞれが分離した前記複数のサブキャリア成分のうち、前記同期信号を含むサブキャリア成分と同期信号レプリカとの相関値を求める複数の第１の相関器と、前記複数の第１の相関器それぞれが求めた相関値に応じて、長周期拡散符号の受信タイミング候補を検出する複数のタイミング検出部と、前記複数のタイミング検出部それぞれが検出した前記複数の長周期拡散符号の受信タイミング候補それぞれに応じて、前記複数のサブキャリア成分と、前記長周期拡散符号群に含まれる各々の長周期拡散符号と前記短周期拡散符号とを二重に乗積した符号系列との相関値を求める複数の第２の相関器と、前記複数の第２の相関器それぞれが求めた前記複数の相関値それぞれに応じて、前記マルチキャリア信号を拡散する複数の長周期拡散符号候補それぞれを検出する複数の符号候補検出部と、前記複数のタイミング検出部が検出した前記複数の受信タイミング候補と、前記複数の符号候補検出部が検出した前記複数の長周期拡散符号候補とから、前記長周期拡散符号の受信タイミングと前記長周期拡散符号とを検出するタイミング及び符号検出部と、前記タイミング及び符号検出部が検出した前記長周期拡散符号の受信タイミングと前記長周期拡散符号とを用いて、前記信号受信部が受信した前記マルチキャリア信号から前記データ系列を復調する復調回路とを備えたものとすることができる。
【００３３】
上記のＭＣ−ＣＤＭＡ方式の移動通信システムにおける受信装置においては、さらに、前記ＦＦＴタイミング検出部が検出した前記所定個数のＦＦＴタイミング候補それぞれにおいて前記マルチキャリア信号に対してＦＦＴを行い、複数のサブキャリア成分に分離する複数の第１のＦＦＴ回路と、前記複数の第１のＦＦＴ回路それぞれが分離した前記複数のサブキャリア成分のうち、前記同期信号を含むサブキャリア成分と同期信号レプリカとの相関値を求める複数の第１の相関器と、前記複数の第１の相関器それぞれが求めた相関値に応じて、前記長周期拡散符号の受信タイミングとＦＦＴタイミングとを検出するタイミング検出部と、前記タイミング検出部が検出した前記ＦＦＴタイミングに応じてＦＦＴを行い、前記マルチキャリア信号を複数のサブキャリア成分に分離する第２のＦＦＴ回路と、前記タイミング検出部が検出した前記長周期拡散符号の受信タイミングに応じて、前記第２のＦＦＴ回路が分離した複数のサブキャリア成分と、前記長周期拡散符号群に含まれる各々の長周期拡散符号と前記短周期拡散符号とを二重に乗積した符号系列との相関値を求める第２の相関器と、前記第２の相関器が求めた前記相関値に応じて、前記マルチキャリア信号を拡散する長周期拡散符号を検出する符号検出部と、前記タイミング検出部が検出した前記長周期拡散符号の受信タイミングと前記符号検出部が検出した前記長周期拡散符号とを用いて、前記信号受信部が受信した前記マルチキャリア信号から前記データ系列を復調する復調回路とを備えたものとすることもできる。
【００３４】
本発明の第１７の特徴は、符号系列を、複数のサブキャリアを用いて伝送する移動通信システムにおける信号の受信方法において、ガードインターバルの相関特性より、複数のＦＦＴタイミング候補を検出するステップを有するものである。
【００３５】
本発明の第１８の特徴は、符号系列を、複数のサブキャリアを用いて伝送する移動通信システムにおける信号の受信方法において、受信信号と、受信信号を１シンボル長遅延させた信号とを乗算するステップと、得られた乗算値を、平均区間をガードインターバル長として移動平均するステップと、移動平均により得られた複数の相関値の相関系列をガードインターバル挿入周期毎に同相加算するステップと、同相加算により得られたガードインターバル挿入周期と等しい長さの相関系列の中から複数個のＦＦＴタイミング候補を検出するステップとを有するものである。
【００３６】
上記の複数個のＦＦＴタイミング候補を検出するステップは、同相加算により得られたガードインターバル挿入周期と等しい長さの相関系列の中で、最大の相関値を有するタイミングを第１のＦＦＴタイミング候補とするステップと、第２以降のＦＦＴタイミング候補各々は、既に検出されたＦＦＴタイミング候補各々の周辺Ｗサンプルを除外ウィンドウとして除外した残りの相関系列の中で最大の相関値を有するタイミングを次のＦＦＴタイミング候補とする方法を繰り返すことによって、所定個数分まで検出するステップとを有するものとすることができる。
【００３７】
本発明の第１９の特徴は、符号系列を、複数のサブキャリアを用いて伝送する移動通信システムにおける信号の受信方法において、ガードインターバルの相関特性より、複数のＦＦＴタイミング候補を検出するステップと、複数のＦＦＴタイミング候補においてＦＦＴを行い、複数のサブキャリア成分に分離するステップと、分離された複数のサブキャリア成分のうち、同期信号が含まれるサブキャリア成分と同期信号レプリカとの相関値を出力するステップと、出力された相関値に応じて、長周期拡散符号の受信タイミング候補を１又は複数個検出するステップと、検出された１又は複数個の長周期拡散符号の受信タイミング候補に応じて、サブキャリア成分と、長周期拡散符号群に含まれる各々の長周期拡散符号と短周期拡散符号とを二重に乗積した符号系列との相関検出値を出力するステップと、検出したすべてのＦＦＴタイミング候補について、出力された相関検出値に応じて、ＦＦＴタイミングと長周期拡散符号の受信タイミングと受信信号を拡散する長周期拡散符号とを検出するステップとを有するものである。
【００３８】
本発明の第２０の特徴は、短周期拡散符号と長周期拡散符号群に含まれるいずれか１つの長周期拡散符号とを二重に乗積したデータ系列を、複数のサブキャリアを用いて伝送する移動通信システムにおける信号の受信方法において、ＦＦＴ等の処理により受信信号を各サブキャリア成分に分離した信号と前記長周期拡散符号群に含まれる各々の長周期拡散符号と前記短周期拡散符号とを二重に乗積した符号系列との相関検出値を出力する際に、サブキャリア毎に各シンボルの相関値を時間方向にNavgシンボル（Navgは１以上の整数）同相加算し、サブキャリア毎の同相加算値を周波数方向に隣接するNcsサブキャリア（Ncsは、１≦Ncs≦Ｎなる整数。ただし、Ｎはサブキャリア数）にわたり同相加算し、Ncsサブキャリア毎の同相加算値を周波数方向にNps個（Npsは、１≦Nps≦Ｎ/Ncsなる整数）電力加算することにより平均相関値を検出するものである。
【００３９】
上記の移動通信システムにおける信号の受信方法においては、Nps＜（Ｎ/Ncs）の場合、（Ｎ/Ncs）/Nps個の長周期拡散符号を周波数方向にNcsサブキャリア毎に交互に相関検出するものとすることができる。
【００４０】
【発明の実施の形態】
以下、本発明の実施の形態を図に基づいて詳説する。図２は、ＭＣ−ＣＤＭＡ方式の移動通信システムにおいて利用される伝送信号のフレーム構成を示している。長周期拡散符号であるスクランブルコードは、周波数方向、時間方向ともに基地局毎に異なったパターンを持っている。
【００４１】
図３は、本発明の第１の実施の形態の移動通信システムに使用されるＭＣ−ＣＤＭＡ方式の送信装置１０．１の構成を示している。この送信装置１０．１は無線信号を送信する基地局毎に備えられているものである。送信装置１０．１は、複数のデータチャネル生成回路１００．１〜１００．ｘを備えている。データチャネル生成回路１００各々では、送信データ発生部１０１から入力された送信データ系列を伝送路符号化器１０２において符号化し、データ変調部１０３においてデータ変調する。そして、変調されたデータ系列に多重部１０４においてパイロットシンボルを多重し、直並列変換部１０５において直並列変換して周波数軸上のＮ／ＳＦ個の情報シンボル系列にする。直並列変換された周波数軸上のＮ／ＳＦ個の情報シンボル系列は、コピー部１０６によって情報シンボル毎に短周期拡散符号の系列長と等しいシンボル数ＳＦ個ずつコピーされ、周波数軸上に並べられる。並べられた周波数軸上のＮ個の情報シンボル系列に対して、乗算器１０８にて短周期拡散符号生成器１０７の作成した短周期拡散符号を乗算する。
【００４２】
第１の合成部１０９において、データチャネル生成回路１００各々から出力される各短周期拡散符号の乗算された系列長Ｎの周波数軸上のシンボル系列を多重する。多重された系列長Ｎのシンボル系列に対して、Ｎ個の乗算器１１１各々においてスクランブルコード生成器１１０の出力するスクランブルコードを周波数方向に乗算し、第２の合成部１１２．１に出力する。第２の合成部１１２．１は、スクランブルコードが乗算された系列長Ｎのシンボル系列に、同期信号生成部１２０．１において作成された同期信号を合成する。
【００４３】
逆フーリエ変換装置（ＩＦＦＴ）１１３は、Ｎ個のシンボルを直交マルチキャリア信号に変換する。ガードインターバル挿入器１１４はこのマルチキャリア信号にガードインターバルＧＩを挿入する。そして送信装置１０．１はこのガードインターバル挿入器１１４の出力するマルチキャリア信号を無線信号にして空間に出力する。
【００４４】
同期信号生成部１２０．１により、以下のようにして同期信号が生成される。データ発生部１２１は同期信号用のデータ（通常は全基地局で共通のデータで、全て１でも良い。）を生成する。データ変調部１２１はこの同期信号用データを変調する。同期信号用拡散符号生成器１２３は同期信号用拡散符号を生成する。乗算器１２４は、データ変調部１２１で変調されたデータ信号と同期信号用拡散符号生成器１２３の出力する同期信号用拡散符号とを乗算し、同期信号を生成して第２の合成部１１２．１に出力する。
【００４５】
次に、この図３のＭＣ−送信装置１０．１によるマルチキャリア信号の送信方法を説明する。図４（ａ）は、同期信号生成部１２０．１が同期信号を特定の複数のサブキャリアにおいて時間方向に連続して送信する場合の例である。図５（ｂ）は、同期信号生成部１２０．１が同期信号を特定の１つのサブキャリアにおいて時間方向に連続して送信する場合の例である。これらの同期信号Ｓ１は、データ発生部１２１の出力するデータ信号Ｄ１に対して、同期信号用拡散符号生成器１２３の与える同期信号用拡散符号Ｃ１を乗積した信号である。
【００４６】
送信装置１０．１における第２の合成部１１２．１は、同期信号生成部１２０．１の生成した同期信号Ｓ１をＮサブキャリアのうちの該当する特定のサブキャリアにおいて時間軸上では連続的に多重する。そして、ＩＦＦＴ回路１１３によって逆フーリエ変換し、ガードインターバル挿入器１１４でフーリエ対象時間毎に一定長のシンボルガードインターバルＧＩを挿入してマルチキャリア信号として出力することになる。
【００４７】
図５（ａ）も、同期信号を特定の１つのサブキャリアにおいて、時間方向に連続して送信する場合の例を示している。しかし、図５（ａ）は、同期信号生成部１２０．１において１スクランブルコードパターンの繰返し時間τと、同期信号のパターン長とを等しくした同期信号Ｓ２を生成する場合の例である。同期信号Ｓ２は時間方向にある特定のパターンを有するデータ系列を示している。特定のパターンは、同期信号用のスクランブルコードのパターンにより実現できる。従って、この送信方法で送信されるマルチキャリア信号を受信する受信移動局では、受信信号から同期信号Ｓ２の受信タイミングを検出することで、長周期拡散符号であるスクランブルコードの乗算開始タイミングの受信タイミングを検出することができる。
【００４８】
図５（ｂ）は、同期信号Ｓ３の長さが、１スクランブルコードパターンの繰返し時間τの１／２の場合の例を示している。この場合も、同期信号Ｓ３は時間方向にある特定のパターンを有する系列である。従って、移動局側では、受信信号から同期信号Ｓ３の送信タイミングを検出することで、スクランブルコードの乗算開始タイミングの受信タイミングを限定することができる。
【００４９】
同期信号生成部１２０．１による同期信号は、図６（ａ），（ｂ），（ｃ）に示す方法で第２の合成部１１２．１において特定の１又は複数のサブキャリアにおいて時間軸上ではバースト的に多重することもできる。図６（ａ）は、同期信号Ｓ４を特定の複数のサブキャリアと合成し、同一のタイミングでバースト的に送信する場合の例である。図６（ｂ）は、同期信号Ｓ４を特定の１つのサブキャリアと合成し、バースト的に送信する場合の例である。図６（ｃ）は、同期信号Ｓ４を全てのサブキャリアに合成し、同一のタイミングでバースト的に送信する場合の例である。
【００５０】
図７（ａ），（ｂ）は、ＭＣ−ＣＤＭＡ伝送方式において用いられるさらに別の同期信号Ｓ５の送信方法を示す図である。図７（ａ）は、第２の合成部１１２．１において、同期信号生成部１２０．１の生成した一定パターンの同期信号Ｓ５をスクランブルコードの１周期毎に複数の特定のサブキャリアそれぞれに異なるタイミングで同期信号Ｓ５を多重し、バースト的に送信する場合の例である。このようなマルチキャリア信号を受信する移動局側では、図７（ｂ）に示すように、受信信号から同期信号Ｓ５の送信されている複数のサブキャリアと、各同期信号Ｓ５の受信タイミングとを検出することで、そのスクランブルコードの乗算開始タイミングの受信タイミングを検出することができる。
【００５１】
次に、本発明の第２の実施の形態のＭＣ−ＣＤＭＡ方式の送信装置及び送信方法について、説明する。図８に示す送信装置１０．２は、図３に示した送信装置と共通する要素には同一の符号を付して示してある。本実施の形態の特徴は、同期信号生成部１２０．１に直並列変換部１２５を備えた点にある。同期信号生成部１２０．２において、データ発生部１２１が同期信号用データ系列Ｄ１（通常は全基地局で共通のデータで、全て1でも良い。）を発生する。この同期信号用データＤ１をデータ変調部１２２においてデータ変調し、さらに、直並列変換部１２５において直並列変換して周波数軸上のＮ個のシンボル系列Ｐ１にする。シンボル系列Ｐ１の各信号に対して、同期信号用拡散符号生成器１２３において生成された同期信号用拡散符号Ｃ１を乗算器１２６各々に周波数方向に乗算し、Ｎ個の並列同期信号Ｓ６を生成して第２の合成部１１２．２に出力する。
【００５２】
第２の合成部１１２．２は、同期信号生成部１２０．２からの生成した同期信号を特定のタイミングにおいて多重する。この多重化の方法は、図９（ａ），（ｂ）に示してある。
【００５３】
図９（ａ），（ｂ）に示す送信方法は、同期信号Ｓ６を全てのサブキャリアにおいて、バースト的に送信する方法である。図９（ａ）は、１スクランブルコードパターンの開始時間と同期信号Ｓ６の送信タイミングとを同時にした場合である。従って、移動局側では、受信信号から同期信号Ｓ６の受信タイミングを検出することで、スクランブルコードの乗算開始タイミングの受信タイミングを検出することができる。図９（ｂ）は、１スクランブルコードパターンの繰返し時間τ内に、２回同期信号Ｓ６を送信する場合である。この場合、同期信号Ｓ６の送信タイミング間隔が、スクランブルコードパターンの繰返し時間τの１／２である。従って、移動局側では、受信信号から同期信号Ｓ６の受信タイミングを検出することで、スクランブルコードの乗算開始タイミングの受信タイミングを限定することができる。
【００５４】
次に、図１０、図１１、図１２を用いて第３の実施の形態のＭＣ−ＣＤＭＡ方式の移動通信システムにおける受信装置２０．１の構成について説明する。受信装置２０．１におけるスクランブルコード受信タイミング検出回路２００．１は図１１に示す内部構成であり、アンテナ１９９で受信されたマルチキャリア信号を入力し、スクランブルコード受信タイミングおよびＦＦＴタイミングを検出して出力する。ガードインターバル除去回路２０８は、ＦＦＴタイミングに基づいてガードインターバルを除去する。ＦＦＴ２０９は、高速フーリエ変換回路であり、ＧＩ除去回路２０８の出力する信号をＮ個のサブキャリア周波数に分解して出力する。スクランブル同定回路２１０．１は図１１に示す内部構成であり、受信したマルチキャリア信号からスクランブルコードを同定する。復調回路３００は図１２に示す内部構成であり、スクランブルコード受信タイミング及びスクランブルコードを用いて受信したマルチキャリア信号を復調し、元の送信データを得る。
【００５５】
図１１を用いて、この送信装置２０の詳しい構成を説明する。スクランブルコード受信タイミング検出回路２００．１はアンテナ１９９で受信したマルチキャリア信号を相関器２０１に入力する。一方、同期信号レプリカ生成器２０２は、あらかじめ設定されている同期信号レプリカを生成し、相関器２０１に順次に入力する。相関器２０１において、受信したマルチキャリア信号と同期信号レプリカとの相関検出を行い、その結果得られた各ピークを示す相関値とそのタイミングを相関値とタイミングのメモリ２０３に記憶する。タイミング検出回路２０４は、相関値とタイミングのメモリ２３０内の記憶値から、最大相関値及びタイミングを選択し、スクランブルコード受信タイミングとしてメモリ２０５に記憶する。タイミング検出回路２０４はさらに、スクランブルコード受信タイミングよりＦＦＴタイミングを計算し、ＦＦＴタイミングとしてメモリ２０５に記憶する。このメモリ２０５からＦＦＴタイミングをＧＩ除去回路２０８へ出力し、スクランブルコード受信タイミングをスクランブルコード同定回路２１０．１と復調回路３００へ出力する。
【００５６】
スクランブルコード受信タイミング検出回路２００．１によるスクランブルコード受信タイミングの検出の後、ＧＩ除去回路２０８はメモリ２０５から出力されたＦＦＴタイミングを用いて、ＧＩを除去する。ＧＩを除去されたマルチキャリア信号はＦＦＴ回路２０９に入力され、元のＮ個のサブキャリア成分に分離され、スクランブルコード同定回路２１０．１に入力される。
【００５７】
スクランブルコード同定回路２１０．１においては、スクランブルコードレプリカ生成器２１１は所定の演算によりあらかじめ設定されている複数種、例えば、５１２種の位相を、スクランブルコード受信タイミング検出回路から得られる同期位相にセットする。サブキャリア個数分の相関器２１２は、スクランブルコードレプリカ生成器２１１で生成されたスクランブルコードレプリカとＦＦＴ回路２０９の出力との相関をサブキャリア毎に検出し、相関検出値を加算器２１３へ入力する。加算器２１３では、各サブキャリアにおける相関値を加算し、相関値とそのスクランブルコード番号を相関値とコード番号のメモリ２１４に記憶する。
【００５８】
スクランブルコード検出回路２１５は、相関値とコード番号のメモリ２１４の記憶値から、最大相関値及びコード番号を選択し、同定したスクランブルコード番号を復調回路３００へ出力する。
【００５９】さらに、図１２を用いて復調回路３００の詳しい構成を説明する。受信されたマルチキャリア信号は図１１の回路へ入力される。図１１の回路から出力されたスクランブルコードの受信タイミング及び番号は、復調回路３００へのスクランブルコード生成器３０１へ入力される。
【００６０】
一方、受信されたマルチキャリア信号は、復調回路３００のＦＦＴタイミング検出部３０２にも入力される。そしてＦＦＴタイミング検出部３０２はマルチキャリア信号のＦＦＴタイミングを検出し、ガードインターバル除去器（−ＧＩ）３０３によってマルチキャリア信号からＧＩを除去する。ＦＦＴ回路３０４は、ガードインターバルが除去されたマルチキャリア信号を各サブキャリア成分に分離する。チャネル推定部３０５は、各サブキャリアのチャネル変動値を推定した後、チャネル変動を乗算器３０６によって補償する。チャネル変動補償された各サブキャリアのシンボルに対して、乗算器３０７においてスクランブルコード生成器３０１の生成するスクランブルコードをサブキャリア方向に乗算する。さらにスクランブルコードが乗算されたシンボルに対して、乗算器３０８において対応するショートコードをサブキャリア方向に乗算する。ショートコードはショートコード生成器３０９によって与えられる。合成器３１０は、ＳＦ個のシンボルを合成して逆拡散する。逆拡散されたシンボルは、並直列変換器（Ｐ／Ｓ）３１１によって並直列変換され、さらに復調部３１２及び復号器３１３において復元されて元のデータが取り出される。
【００６１】
上記の構成のＭＣ−ＣＤＭＡ方式の移動通信システムにおける受信装置２０．１によるマルチキャリア信号の受信方法について、次に説明する。図１３は、図１０の受信装置２０．１による信号の受信処理を示すフローチャートである。初めにＦＦＴを行う前の全てのサブキャリア成分を含む受信信号と、同期信号レプリカとの相関を検出する（Ｓ１０１）。最大の相関値を得るタイミングにより、ＦＦＴタイミングすなわちシンボルタイミング、及びスクランブルコードの受信タイミングを同時に求める（Ｓ１０２）。
【００６２】
続いて、検出したＦＦＴタイミングにおいてＦＦＴを行って受信信号を各サブキャリア成分に分離する（Ｓ１０３）。また、検出したスクランブルコードの受信タイミングにおいて、ＦＦＴ後の各サブキャリア成分に分離された受信信号と、各スクランブルコードとの相関を検出し（Ｓ１０４）、最大の相関値を有するスクランブルコードを、受信信号を拡散するスクランブルコードとして検出する（Ｓ１０５）。
【００６３】
受信装置２０．１における復調回路３００は、こうして検出したスクランブルコードを用いてマルチキャリア信号に対するディスクランブルを行い、さらにデータ信号を復調、復号して元のデータ系列を取り出す。
【００６４】
次に、本発明の第４の実施の形態のＭＣ−ＣＤＭＡ方式の移動通信システムにおける受信装置について、図１４を用いて説明する。第４の実施の形態の受信装置２０．２は、図１０に示した受信装置２０．１と機能ブロックの構成は同様であるが、スクランブルコード受信タイミング検出回路とスクランブルコード同定回路との構成が異なっている。これについて説明する。
【００６５】
スクランブルコード受信タイミング検出回路２００．２は、マルチキャリア信号を受信し、複数の同期信号相関検出回路２０１０．１〜２０１０．ｍへ入力する。一方、ＦＦＴタイミング設定回路２０１４では、各同期信号相関検出回路２０１０．ｘ（ｘ＝１，２，…，ｍ）に対して、ＦＦＴタイミングを設定する。各同期信号相関検出回路２０１０．ｘでは、ガードインターバル除去回路２０１５により、ＦＦＴタイミングを用いてマルチキャリア信号からＧＩを除去する。ＧＩを除去されたマルチキャリア信号はＦＦＴ回路２０１６に入力され、ＦＦＴ回路２０１６によって複数のサブキャリア成分に分離される。分離された各サブキャリア成分のうち、同期チャネルが多重されているサブキャリア成分のみを相関器２０１２に入力する。一方、同期信号レプリカ生成器２０１３は、同期信号レプリカを生成し、相関器２０１２に入力する。相関器２０１２は、ＦＦＴ出力と同期信号レプリカの相関検出を行い、各サブキャリアにおける相関値を加算器２０７に入力する。加算器２０７では、各サブキャリアにおける相関値を加算し、相関値とそのタイミングをメモリ２０３に記憶する。
【００６６】
タイミング検出回路２０４は、ｍ個の相関値とタイミングのメモリ２０３内の記憶値から、最大相関値及びタイミングを選択し、スクランブルコード受信タイミングとしてメモリ２０５に記憶する。タイミング検出回路２０４はさらに、スクランブルコード受信タイミングよりＦＦＴタイミングを計算し、ＦＦＴタイミングとしてメモリ２０５に記憶する。このメモリ２０５からＦＦＴタイミングをＧＩ除去回路２０８へ出力し、スクランブルコード受信タイミングをスクランブルコード同定回路２１０．１と復調回路３００へ出力する。
【００６７】
スクランブルコード受信タイミング検出回路２００．２によるスクランブルコード受信タイミングの検出の後、ＧＩ除去回路２０８でＧＩを除去し、ＦＦＴ回路２０９でＦＦＴを行い、スクランブルコード同定回路２１０．１でスクランブルコード番号を特定して復調回路３００へ出力する処理は図１１と同じ回路による。また、復調回路３００によるデータ復調処理は、図１２と同じ回路による。
【００６８】
上記の構成の受信装置２０．２によるマルチキャリア信号の受信方法について、次に説明する。図１５は、図１０及び図１４に示す受信装置２０．２によるマルチキャリア信号の受信処理を示すフローチャートである。あるＦＦＴタイミングにおいてＦＦＴを行い（Ｓ２０１１．１）、あるＦＦＴタイミングにおけるＦＦＴ後の信号について、同期信号を送信しているサブキャリア成分と同期信号レプリカとの相関を検出する（Ｓ２０１２．１）。これを、複数のＦＦＴタイミングにおいて行う（Ｓ２０１．１〜Ｓ２０１．ｍ）。全てのＦＦＴタイミングにおいて検出した相関値において、最大の相関値を得るタイミングにより、スクランブルコードの受信タイミングを求める。また、最大の相関値を検出したＦＦＴタイミングにより、ＦＦＴタイミングを検出する（Ｓ２０２）。
【００６９】
次に、検出したＦＦＴタイミングにおいてＦＦＴを行い（Ｓ２０３）、受信信号を各サブキャリア成分に分離する。検出したスクランブルコードの受信タイミングにおいて、ＦＦＴ後の各サブキャリア成分に分離された受信信号と、各スクランブルコードとの相関を検出し（Ｓ２０４）、最大の相関値を有するスクランブルコードを、受信信号を拡散するスクランブルコードとして検出する（Ｓ２０５）。
【００７０】
続いて、受信装置２０．２における復調回路３００は、こうして検出したスクランブルコードを用いてマルチキャリア信号に対するディスクランブルを行い、さらにデータ信号を復調、復号して元のデータ系列を取り出すのである。
【００７１】
次に、本発明の第５の実施の形態の受信装置について、図１６及び図１２を用いて説明する。第４の実施の形態の受信装置２０．３は、スクランブルコード受信タイミング検出回路２００．３とスクランブルコード同定回路２１０．１と、復調回路３００によって構成される。
【００７２】
スクランブルコード受信タイミング検出回路２００．３は、マルチキャリア信号を受信し、ＤＦＴ回路等２０１１を用いて各サブキャリア成分に分離する。分離された各サブキャリア成分のうち、同期チャネルが多重されているサブキャリア成分のみを相関器２０１２に入力する。一方、同期信号レプリカ生成器２０１３は同期信号レプリカを生成し、相関器２０１２に入力する。相関器２０１２において、ＤＦＴ回路２０１１からのサブキャリア成分各々と同期信号レプリカとの相関検出を行い、各サブキャリアにおける相関値を加算器２０７に入力する。加算器２０７は、各サブキャリアにおける相関値を加算し、相関値とそのタイミングを相関値とタイミングのメモリ２０３に記憶する。タイミング検出回路２０４は、相関値とタイミングのメモリ２３０内の記憶値から、最大相関値及びタイミングを選択し、スクランブルコード受信タイミングとしてメモリ２０５に記憶する。このメモリ２０５からスクランブルコード受信タイミングをスクランブルコード同定回路２１０．１へ出力する。
【００７３】
スクランブル同定回路２１０．１の構成は図１４のものと同様である。スクランブルコードレプリカ生成器２１１は所定の演算によりあらかじめ設定されている複数種の位相を、スクランブルコード受信タイミング検出回路２００．３から得られる同期位相にセットする。サブキャリア個数分の相関器２１２は、スクランブルコードレプリカ生成器２１１で生成されたスクランブルコードレプリカとＤＦＴ回路２０１１の出力との相関をサブキャリア毎に検出し、相関検出値を加算器２１３へ入力する。加算器２１３では、各サブキャリアにおける相関値を加算し、相関値とそのスクランブルコード番号を相関値とコード番号のメモリ２１４に記憶する。スクランブルコード検出回路２１５は、相関値とコード番号のメモリ２１４の記憶値から、最大相関値及び及びコード番号を選択し、同定したスクランブルコード番号を復調回路３００へ出力する。復調回路３００によるデータ復調処理は、上述した図１２の回路による。
【００７４】
上記の構成のＭＣ−ＣＤＭＡ方式の移動通信システムにおける受信装置２０．３によるマルチキャリア信号の受信方法について、次に説明する。図１７は、上記の受信装置２０．３によるマルチキャリア信号の受信方法を示すフローチャートである。初めに、ＤＦＴ（Discrete  Fourier  Transform）回路等を用いて、受信信号を各サブキャリア成分に分離する（Ｓ３０１）。各サブキャリア成分に分離された受信信号のうち、同期信号を送信しているサブキャリア成分と同期信号との相関を検出し（Ｓ３０２）、最大の相関値を得るタイミングによりスクランブルコードの受信タイミングを求める（Ｓ３０３）。
【００７５】
次に、検出したスクランブルコードの受信タイミングにおいて、各サブキャリア成分に分離された受信信号と、各スクランブルコードとの相関を検出し（Ｓ３０４）、最大の相関値を有するスクランブルコードを、受信信号を拡散するスクランブルコードとして検出する（Ｓ３０５）。
【００７６】
受信装置２０．３における復調回路３００は、こうして検出したスクランブルコードを用いてマルチキャリア信号に対するディスクランブルを行い、さらにデータ信号を復調、復号して元のデータ系列を取り出すのである。
【００７７】
次に、本発明の第６の実施の形態のマルチキャリア信号の受信装置について、図１８及び図１２を用いて説明する。この受信装置２０．４は、図１８に示すｍ個のスクランブルコード相関検出回路２３０．１〜２３０．ｍ、これらにＦＦＴタイミングを設定するＦＦＴタイミング設定回路２０１４、及びスクランブルコード及びスクランブルコード受信タイミング検出回路２４０、そして図１２に示す復調回路３００によって構成される。各スクランブル相関検出回路２３０．ｘは、ＧＩ除去回路２０５、ＦＦＴ回路２０１６、図１６に備えられているものと同様のスクランブルコード受信タイミング検出回路２００．３、そしてスクランブルコード同定回路２１０．２から構成されている。
【００７８】
各スクランブルコード相関検出回路２３０．ｘは、アンテナ１９９で受信されるマルチキャリア信号を入力する。一方、ＦＦＴタイミング設定回路２０１４は、各スクランブルコード相関検出回路２３０．ｘのＧＩ除去回路２０１５に対してＦＦＴタイミングを設定する。ＧＩ除去回路２０１５は、設定されたＦＦＴタイミングを用いてＧＩを除去する。ＧＩを除去されたマルチキャリア信号はＦＦＴ回路２０１６に入力され、各サブキャリア成分に分離され、サブキャリア成分のみを相関器２０１２に入力する。一方、同期信号レプリカ生成器２０１３は同期信号レプリカを生成し、相関器２０１２に入力する。相関器２０１２において、ＦＦＴ回路２０１６からのサブキャリア成分各々と同期信号レプリカとの相関検出を行い、各サブキャリアにおける相関値を加算器２０７に入力する。加算器２０７は、各サブキャリアにおける相関値を加算し、相関値とそのタイミングを相関値とタイミングのメモリ２０３に記憶する。
【００７９】
タイミング検出回路２０４は、相関値とタイミングのメモリ２０３内の記憶値から、最大相関値及びタイミングを選択し、スクランブルコード受信タイミング候補としてメモリ２０５に記憶する。
【００８０】
スクランブルコード受信タイミング検出後、スクランブルコード同定回路２１０．２において、スクランブルコードレプリカ生成器２１１の位相を、スクランブルコード受信タイミング検出回路２００．３から得られる同期位相にセットする。相関器２１２では、スクランブルコードレプリカ生成器２１１で生成されたスクランブルコードレプリカとＦＦＴ回路２０１６の出力との相関をサブキャリア毎に検出し、相関検出値を加算器２１３へ入力する。加算器２１３では、各サブキャリアにおける相関値を加算し、相関値とそのスクランブルコード番号を相関値とコード番号のメモリ２１４に記憶する。
【００８１】
スクランブルコード及びスクランブルコード受信タイミング検出回路２４０では、各スクランブルコード同定回路２１０．２内の相関値とコード番号のメモリ２１４の記憶値から、最大相関値及びコード番号を選択する。最大相関値を検出した際のスクランブルコード受信タイミング検出回路２００．３内のメモリ２０５の記憶値から、スクランブルコード受信タイミングを選択する。選択したスクランブルコード番号及びスクランブルコード受信タイミングは復調回路３００へ出力される。
【００８２】
上記の構成のＭＣ−ＣＤＭＡ方式の移動通信システムにおける受信装置２０．４によるマルチキャリア信号の受信方法について、次に説明する。図１９は、上記の受信装置２０．４によるマルチキャリア信号の受信方法を示すフローチャートである。あるＦＦＴタイミングにおいてＦＦＴを行い（Ｓ４０１１．１）、あるＦＦＴタイミングにおけるＦＦＴ後の信号について、同期信号を送信しているサブキャリア成分と同期信号の相関を検出する（Ｓ４０１２．１）。各ＦＦＴタイミングにおいて最大の相関値を得るタイミングを検出し、これをＦＦＴタイミングにおけるスクランブルコード受信タイミング候補とする（Ｓ４０１３．１）。そしてこのスクランブルコード受信タイミングにおいて、各サブキャリア成分に分離された受信信号と各スクランブルコードとの相関を検出する（Ｓ４０１４．１）。これを複数のＦＦＴタイミングにおいて行う（Ｓ４０１．１〜Ｓ４０１．ｎ）。
【００８３】
続いて、全てのＦＦＴタイミングにおいて検出したスクランブルコードの相関値において、最大の相関値を有するスクランブルコードとそのタイミングにより、受信信号を拡散するスクランブルコードとその受信タイミングを検出する（Ｓ４０２）。こうして検出したスクランブルコードを用いて、復調回路３００はマルチキャリア信号に対するディスクランブルを行い、さらにデータ信号を復調、復号して元のデータ系列を取り出す。
【００８４】
次に、本発明の第７の実施の形態のＭＣ−ＣＤＭＡ伝送方式に用いる受信装置について、図２０及び図１２を用いて説明する。この実施の形態の受信装置２０．５は、ＦＦＴタイミング検出回路２５０．１、ＧＩ除去回路２０１５、ＦＦＴ回路２０１６、図１６に示したものと同様のスクランブルコード受信タイミング検出回路２００．３、そして図１４に示したものと同様のスクランブルコード同定回路２１０．１、そして図１２に示す復調回路３００から構成される。
【００８５】
受信装置２０．５は、アンテナ１９９で受信したマルチキャリア信号をＦＦＴタイミング検出回路２５０．１、ＧＩ除去回路２０１５、復調回路３００それぞれに入力する。ＦＦＴタイミング検出回路２５０．１においては、受信したマルチキャリア信号を遅延回路２５１によって１シンボル長（ＧＩを除く）だけ遅延させる。乗算器２５２は、受信したマルチキャリア信号とその信号を１シンボル長（ＧＩを除く）だけ遅延させた信号とを乗算する。乗算された信号を積分器２５３においてＧＩ長に渡り積分し、相関値を検出する。検出した相関値とそのタイミングを相関値とタイミングのメモリ２５４に記憶する。タイミング検出回路２５５は、相関値とタイミングのメモリ２５４内の記憶値から、最大相関値及びタイミングを選択し、ＦＦＴタイミングとしてメモリ２５６に記憶する。
【００８６】
ＦＦＴタイミングを検出した後、ＧＩ除去回路２０１５はメモリ２５６から出力されるＦＦＴタイミングを用いてマルチキャリア信号からＧＩを除去する。ＧＩが除去されたマルチキャリア信号はＦＦＴ回路２０１６に入力され、各サブキャリア成分に分離される。
【００８７】
各サブキャリア成分に分離された信号のうち、同期チャネルが多重されているサブキャリア成分のみをスクランブルコード受信タイミング検出回路２００．３の各相関器２０１２に入力する。このスクランブルコード受信タイミング検出回路２００．３での処理は、図１６のものと同じである。そして、検出されたスクランブルコード受信タイミングがメモリ２０５に記憶される。
【００８８】
スクランブルコード受信タイミング検出後、スクランブルコード同定回路２１０．１において、スクランブルコード番号を特定する。このスクランブルコード同定回路２１０．１による処理は、図１１のものと同様である。そして、スクランブルコード検出回路２１５の出力するスクランブルコード番号は、復調回路３００へ入力される。
【００８９】
復調回路３００は図１２に示したものであり、上述したように、スクランブルコード番号を用いてマルチキャリア信号に対するディスクランブルを行い、さらにデータ信号を復調、復号して元のデータ系列を取り出す。
【００９０】
上記の構成のＭＣ−ＣＤＭＡ方式の移動通信システムにおける受信装置２０．５によるマルチキャリア信号の受信方法について、次に説明する。図２１は、上記の受信装置２０．５によるマルチキャリア信号の受信方法を示すフローチャートである。初めに、ＦＦＴを行う前の全てのサブキャリア成分を含む受信信号と、受信信号を１シンボル長（ガードインターバルを除く）遅延させた信号との相関を検出する（Ｓ５０１）。最大の相関値を得るタイミングにより、ＦＦＴタイミングを求める（Ｓ５０２）。
【００９１】
次に、検出したＦＦＴタイミングにおいてＦＦＴを行い、受信信号を各サブキャリア成分に分離する（Ｓ５０３）。各サブキャリア成分に分離された受信信号のうち、同期信号を送信しているサブキャリア成分と同期信号の相関を検出し（Ｓ５０４）、最大の相関値を得るタイミングにより、スクランブルコードの受信タイミングを求める（Ｓ５０５）。続いて、図１７のフローチャートにおけるステップＳ３０４，Ｓ３０５と同じ方法で、受信信号を拡散するスクランブルコードを検出する。
【００９２】
このようにして得られたスクランブルコードを用いて、他の実施の形態と同様に復調回路３００において、マルチキャリア信号に対するディスクランブルを行い、さらにデータ信号を復調、復号して元のデータ系列を取り出す。
【００９３】
次に、本発明の第８の実施の形態のＭＣ−ＣＤＭＡ方式の移動通信システムにおける受信装置について説明する。図２０の回路、図２１のフローチャートに示したＭＣ−ＣＤＭＡ方式の信号受信技術は、ガードインターバルの相関特性を利用して最大の相関値を得たタイミングより１個のＦＦＴタイミングを検出する。
【００９４】
しかし、ＭＣ−ＣＤＭＡ方式の移動通信システムにおいて、複数の基地局から同時に信号を送信し、１つ移動局でそれらを同時に受信する状況では、基地局間の総送信電力にばらつきがあれば、移動局は受信信号の減衰量の小さい最適な基地局からの信号でなく、総送信電力の大きい基地局の信号を正規の信号として誤検出する場合がある。上の問題点を例示すれば、次の通りである。
【００９５】
図２２のフローチャートは、図２０の受信装置によるガードインターバル部分の相関検出処理手順を示しており、図２３はその方法原理を示している。ここで、ＦＦＴタイミングとはガードインターバルを含まない情報シンボルの先頭を受信するタイミングのことであり、ＦＦＴ処理を行うべきタイミングである。したがって、以下の説明では、ＦＦＴタイミングはすべてＦＦＴタイミングとする。また、１シンボル長＝Ｘサンプル、ガードインターバル長＝Ｙサンプルであるとしている。
【００９６】
図２２のフローチャート及び図２３に示す受信方法では、ＦＦＴ前のすべてのサブキャリア成分を含む受信信号と、受信信号を１シンボル（Ｘサンプル）長遅延させた信号とをサンプルタイミング毎に乗算する（ステップＳ１００１）。そして、サンプルタイミング毎の乗算値を、各サンプルタイミングを平均区間の先頭、平均区間長をＹサンプル長とし、１サンプル毎に移動平均する（ステップＳ１００２）。移動平均により求めた相関値の系列を（Ｘ＋Ｙ）サンプル毎に同相加算により複数回平均化し、（Ｘ＋Ｙ）サンプル長の相関系列を得る（ステップＳ１００３）。図２４にこの相関系列の一例が示してある。続いて、図２４に示すような（Ｘ＋Ｙ）サンプル長の相関系列の中で最大の相関値を得るタイミングをＦＦＴタイミングとして検出する（ステップＳ１００４）。
【００９７】
しかし、図２４に示される相関系列におけるような相関ピークの大きさは、受信信号の減衰量（距離減衰やシャドウイングに起因したパスロス）だけでなく、各基地局の総送信電力に依存する。このため、上述した方法をＭＣ−ＣＤＭＡ方式の移動通信システムに用いた場合、マルチセル環境下において、各基地局の総送信電力にばらつきがある状況では、１チャネル当たりの受信レベル最大（パスロスが最小）の最適な基地局ではなく、送信している通信チャネルの電力の大きい基地局を誤って検出する恐れがある。例えば、基地局＃１と＃２とで、基地局＃１の通信チャネル数が基地局＃２の通信チャネル数より大幅に少ない場合、移動局にとって最適な基地局が基地局＃１であったとしても、通信チャネル数が多く、したがって総送信電力が大きい基地局＃２を誤検出してしまう場合がある。
【００９８】
これを解決するＭＣ−ＣＤＭＡ方式の移動通信システムにおける受信装置が図２５に示すものである。図２５の受信装置２０．６はＦＦＴタイミング検出回路２５０．２、スクランブルコード相関検出回路２３０．１〜２３０．ｍ、スクランブルコード及びスクランブルコード受信タイミング検出回路２４０、そして図１２に示したものと同じ復調回路３００から構成される。
【００９９】
ＦＦＴタイミング検出回路２５０．２は、受信したマルチキャリア信号を遅延回路２５１によって１シンボル長（ＧＩを除く）だけ遅延させる。乗算器２５２は、受信したマルチキャリア信号とその信号を１シンボル長（ＧＩを除く）だけ遅延させた信号とを乗算する。乗算された信号を積分器２５３においてＧＩ長に渡り積分し、相関値を検出する。検出した相関値とそのタイミングとは、相関値とタイミングのメモリ２５４に記憶される。
【０１００】
タイミング検出回路２５５では、始めに、相関値とタイミングのメモリ２５４内の記憶値から、最大相関値及びタイミングを選択し、ＦＦＴタイミング候補＃１としてメモリ２５６に記憶する。次に、サーチ範囲設定回路２５７において、メモリ２５６内の検出されたＦＦＴタイミング候補及び相関値とタイミングのメモリ２５４内の記憶値とに基づいて、サーチ範囲を設定する。このサーチ範囲の設定には、後述する種々の方法が利用される。タイミング検出回路２５５では、サーチ範囲設定回路２５７で設定されたサーチ範囲内で、相関値とタイミングのメモリ内２５４の記憶値から、最大相関値及びタイミングを選択し、ＦＦＴタイミング候補＃２としてメモリ２５６に記憶する。同様の手順で、あらかじめ設定された任意の複数個のＦＦＴタイミング候補が検出されるまで検出を続ける。
【０１０１】
スクランブルコード相関検出回路２３０．１〜２３０ｍはＦＦＴタイミング検出回路２５０．２が検出するＦＦＴタイミング候補数ｍ分用意されている。各スクランブルコード相関検出回路２３０．ｘ（ｘ＝１〜ｍ）の構成は図１８に示したものと同じであり、ＧＩ除去回路２０１５、ＦＦＴ回路２０１６、スクランブルコード受信タイミング検出回路２００．３、スクランブルコード同定回路２１０．２を備えている。
【０１０２】
各スクランブルコード相関検出回路２３０．ｘは、アンテナ１９９で受信されるマルチキャリア信号をＧＩ除去回路２０１５に入力する。一方、ＦＦＴタイミング検出回路２５０．１は、各スクランブルコード相関検出回路２３０．ｘのＧＩ除去回路２０１５に対してＦＦＴタイミングを設定する。
【０１０３】
ＧＩ除去回路２０１５は、設定されたＦＦＴタイミングを用いてＧＩを除去する。ＧＩを除去されたマルチキャリア信号はＦＦＴ回路２０１６に入力され、各サブキャリア成分に分離され、サブキャリア成分のみを相関器２０１２に入力する。一方、同期信号レプリカ生成器２０１３は同期信号レプリカを生成し、相関器２０１２に入力する。相関器２０１２において、ＦＦＴ回路２０１６からのサブキャリア成分各々と同期信号レプリカとの相関検出を行い、各サブキャリアにおける相関値を加算器２０７に入力する。加算器２０７は、各サブキャリアにおける相関値を加算し、相関値とそのタイミングを相関値とタイミングのメモリ２０３に記憶する。タイミング検出回路２０４は、相関値とタイミングのメモリ２０３内の記憶値から、最大相関値及びタイミングを選択し、スクランブルコード受信タイミング候補としてメモリ２０５に記憶する。したがって、ｍ個のスクランブルコード相関検出回路２３０．１〜２３０．ｍからｍ個のスクランブルコード受信タイミング候補が得られることになる。
【０１０４】
各スクランブルコード受信タイミング候補の検出後、スクランブルコード同定回路２１０．２において、各スクランブルコード受信タイミング候補に対応するスクランブルコード番号と相関値を得る。
【０１０５】
スクランブルコード及びスクランブルコード受信タイミング検出回路２４０では、各スクランブルコード同定回路２１０．２の相関値とコード番号のメモリ２１４の記憶値から最大相関値及びコード番号を選択する。最大相関値を検出した際、対応するスクランブルコード受信タイミング検出回路２００．３内のメモリ２０５の記憶値からスクランブルコード受信タイミング候補を選択してスクランブルコード受信タイミングとする。そして、選択されたスクランブルコード番号及びスクランブルコード受信タイミングは復調回路３００へ出力される。
【０１０６】
復調回路３００は図１２に示したものであり、上述したように、スクランブルコード番号を用いてマルチキャリア信号に対するディスクランブルを行い、さらにデータ信号を復調、復号して元のデータ系列を取り出す。
【０１０７】
上記の構成の受信装置２０．６におけるＦＦＴタイミング検出回路２５０．２により、受信されるマルチキャリア信号から所定個数のＦＦＴタイミング候補を検出する方法について、図２６のフローチャートを用いて説明する。
【０１０８】
受信したＦＦＴ前のすべてのサブキャリア成分を含むマルチキャリア信号と、受信マルチキャリア信号を１シンボル（Ｘサンプル）長遅延させた信号とをサンプルタイミング毎に乗算する（ステップＳ１１０１）。そして、サンプルタイミング毎の乗算値を、各サンプルタイミングを平均区間の先頭、平均区間長をＹサンプル長とし、１サンプル毎に移動平均する（ステップＳ１１０２）。移動平均により求めた相関値の系列を（Ｘ＋Ｙ）サンプル毎に同相加算により複数回平均化し、（Ｘ＋Ｙ）サンプル長の相関系列を得る（ステップＳ１１０３）。以上のＳ１１０１〜Ｓ１１０３の処理は、図２２のフローチャートにおけるＳ１００１〜Ｓ１００３の処理と同様である。
【０１０９】
続いて、図２４に示したような（Ｘ＋Ｙ）サンプル長の相関系列より複数のＦＦＴタイミング候補を検出する（ステップＳ１１０４〜Ｓ１１０６）。図２７は３個のＦＦＴタイミング候補を検出する場合を示している。これは、次のようにして検出する。はじめに、（Ｘ＋Ｙ）サンプル長の相関系列の中で最大相関出力を検出したタイミングをＦＦＴタイミング候補＃１とする。次に、ＦＦＴタイミング候補＃１の周辺の予め設定したＷサンプル分を除外ウィンドウ＃１としてサーチ範囲から除外し、（Ｘ＋Ｙ−Ｗ）サンプル長の相関系列において最大相関出力を検出したタイミングをＦＦＴタイミング候補＃２とする。同様に、ＦＦＴタイミング候補＃２の周辺Ｗサンプルを除外ウィンドウ＃２としてサーチ範囲からさらに除外し、ＦＦＴタイミング候補＃３を検出する。
【０１１０】
以上の方法を用いることにより、マルチセル環境下で各基地局の総送信電力にばらつきがある場合においても、総送信電力の小さい基地局を見逃すことなく検出することができるようになる。
【０１１１】
このようにして、検出した所定個数ｍ個のＦＦＴタイミング候補を用いて、次に、図２８に示すフローチャートによりスクランブルコードを同定する。図２８に示す処理は、検出するスクランブルコード受信タイミング候補の数がＦＦＴウィンドウタイミング候補の数ｍと等しい場合の例である。
【０１１２】
複数ｍ個のＦＦＴタイミング候補を検出する処理Ｓ１１００は、図２６のフローチャートに示した処理全体を示している。
【０１１３】
これに続いて、検出した複数のＦＦＴタイミング候補においてＦＦＴを行い、各ＦＦＴ後の信号について、同期信号を送信しているサブキャリア成分と同期信号との相関を検出する（ステップＳ１２０１．１，Ｓ１２０２．１）。そして各ＦＦＴタイミング候補において最大の相関値を検出したタイミングを、そのＦＦＴタイミングにおけるスクランブルコード受信タイミング候補とし、そのスクランブルコード受信タイミング候補において、各サブキャリア成分に分離された受信信号と各スクランブルコードとの相関を検出する（ステップＳ１２０３．１，Ｓ１２０４．１）。このステップＳ１２０１．１〜Ｓ１２０４．１の処理は、複数ｍのＦＦＴタイミング候補すべてにおいて行う（Ｓ１２００．１〜Ｓ１２００．ｍ）。
【０１１４】
次に、すべてのＦＦＴタイミング候補において検出したスクランブルコードの相関値において、最大の相関値を有するスクランブルコードとそのタイミングより、受信信号を拡散するスクランブルコードとその受信タイミング及びＦＦＴタイミングを検出する（Ｓ１３００）。つまり、ＦＦＴタイミング及びスクランブルコードの受信タイミングは、ステップＳ１３００においてスクランブルコードの種類と同時に決定するのである。
【０１１５】
図２５の受信装置におけるＦＦＴタイミング検出回路２５０．２が行う複数ｍ個のＦＦＴタイミング候補を検出する方法は、図２９、また図３０に示すものであってもよい。図２９は、除外ウィンドウ＃１と＃２が重ならない場合である。ＦＦＴタイミング候補＃１を検出した後、ＦＦＴタイミング候補＃１を中心として前後Ｗ／２サンプル分ずつ、併せてＷサンプル分を除外ウィンドウ＃１として設定する。Ｗサンプル分をサーチ範囲から除外し、（Ｘ＋Ｙ−Ｗ）サンプル長の相関系列において最大相関出力を検出したタイミングをＦＦＴタイミング候補＃２とする。同様に、ＦＦＴタイミング候補＃２の周辺Ｗサンプル分を除外ウィンドウ＃２としてサーチ範囲から除外し、ＦＦＴタイミング候補＃３を検出する。
【０１１６】
図３０は、除外ウィンドウ＃１と除外ウィンドウ＃２とが重なる場合を示している。図２９と同様の方法で、ＦＦＴタイミング候補＃２まで検出する。ＦＦＴタイミング候補＃２の周辺Ｗサンプルを除外ウィンドウ＃２としてサーチ範囲から除外するが、除外ウィンドウ＃１と＃２とで重なる部分があるため、サーチ範囲から除外されるサンプル数は２Ｗサンプルより少なくなる。
【０１１７】
次に、図３１を用いて、複数のＦＦＴタイミング候補を決定する別の方法を説明する。ＦＦＴタイミング候補を３個（ｍ＝３）検出する場合、ＦＦＴタイミング候補＃１を検出した後、ＦＦＴタイミング候補＃１における相関値のΔｄＢ減の相関値を有するタイミングまでのＷサンプルを除外ウィンドウ＃１として設定する。そして、Ｗサンプルの除外ウィンドウをサーチ範囲から除外し、（Ｘ＋Ｙ−Ｗ）サンプル長の相関系列において最大相関出力を検出したタイミングをＦＦＴタイミング候補＃２とする。同様の手順で、ＦＦＴタイミング候補＃２における相関値のΔｄＢ減の相関値を有するタイミングまでのＷ′サンプルを除外ウィンドウ＃２として設定し、Ｗ′サンプルをサーチ範囲からさらに除外し、ＦＦＴタイミング候補＃３を検出する。
【０１１８】
次に、図３２、図３３を用いて、複数のＦＦＴタイミング候補を決定するさらに別の方法を説明する。この場合も、３個（ｍ＝３）のＦＦＴタイミング候補を検出する場合を例に示している。図３２は、ＦＦＴタイミングを頂点とする相関系列の傾きの大小によりウィンドウ幅を変化させる場合であり、相関ピークの傾きが急な場合は除外ウィンドウを狭く、傾きがなだらかな場合は除外ウィンドウを広く設定する。つまり、ピーク幅が狭い場合、除外ウィンドウ＃１に示すようにその幅を狭く、ピーク幅が広い場合、除外ウィンドウ＃２に示すようにその幅を広く設定する。
【０１１９】
図３３は、検出したＦＦＴタイミング（相関ピークの頂点）から離れるに従い、相関値が減少し続ける間は除外ウィンドウとして設定する場合の例である。この場合、ＦＦＴタイミング候補＃１を検出した後、ＦＦＴタイミング候補＃１から離れるに従い相関値が減少し続けるＷサンプル間は除外ウィンドウ＃１としてサーチ範囲から除外する。そして、（Ｘ＋Ｙ−Ｗ）サンプル長の相関系列において最大相関出力を検出したタイミングをＦＦＴタイミング候補＃２とする。同様の手順で、このＦＦＴタイミング候補＃２から離れるに従い相関値が減少し続けるＷ′サンプル間も除外ウィンドウ＃２としてサーチ範囲から除外し、次のＦＦＴタイミング候補＃３を検出する。
【０１２０】
この図３２、図３３に示す方法によれば、相関ピークが重なったりマルチパスの影響によってピーク幅が変わった場合にも、適応的に除外ウィンドウを設定することができる。
【０１２１】
次に、図３４、図３５を用いて、複数のＦＦＴタイミング候補を決定するさらに別の方法を説明する。図３４は、上記の図２７〜図３３のいずれかの方法で２個のＦＦＴタイミング候補を検出し、さらに新たに８個のＦＦＴタイミング候補を追加する方法を示したものである。上記の方法でまず２個のＦＦＴタイミング候補＃１，＃２を検出する。そして、ＦＦＴタイミング候補＃１，＃２の±Ａサンプル及び±２ＡサンプルのタイミングもＦＦＴタイミング候補として設定する。
【０１２２】
図３５は、上記の図２７〜図３３のいずれかの方法で２個のＦＦＴタイミング候補を検出し、さらに新たに４個のＦＦＴタイミング候補を追加する方法を示している。上記の方法でまず２個のＦＦＴタイミング候補＃１，＃２を検出する。そして、ＦＦＴタイミング候補＃１，＃２における相関値のΔｄＢ減の相関値を有するタイミングをＦＦＴタイミング候補として設定する。
【０１２３】
以上の方法によれば、相関ピークが重なり、タイミングが理想的なタイミングから大きくシフトして検出された場合、また雑音や干渉などの影響でシフトして検出された場合でも、シフト量を小さく抑えることができ、より高精度にＦＦＴタイミングを検出することができる。
【０１２４】
なお、これらのいずれの方法によって複数ｍ個のＦＦＴタイミング候補を検出しても、そのＦＦＴタイミング候補を用いてスクランブルコード番号と受信タイミングを検出する処理は、上で説明した図２８の処理Ｓ１２００、Ｓ１３００による。
【０１２５】
次に、本発明の第９の実施の形態のＭＣ−ＣＤＭＡ方式の移動通信システムにおける受信装置について、図３６を用いて説明する。この実施の形態の受信装置２０．７は図２５の受信装置２０．６で用いられたものと同様のＦＦＴタイミング検出回路２５０．２、図１４の受信装置２０．ｘで用いられたものと同様のスクランブルコード受信タイミング検出回路２００．２、ＧＩ除去回路２０８、ＦＦＴ回路２０９及びスクランブル同定回路２１０．１、そして図１２に示したものと同じ復調回路３００から構成される。
【０１２６】
ＦＦＴタイミング検出回路２５０．２は図２５の場合と同様の処理により、受信したマルチキャリア信号から複数ｍ個のＦＦＴタイミング候補を検出する。
【０１２７】
スクランブルコード受信タイミング検出回路２００．２は図１４のものと同様、ＧＩ除去回路２０１５、ＦＦＴ回路２０１６、ｍ個分の同期信号相関検出回路２０１０．１〜２０１０．ｍ、タイミング検出回路２０４、メモリ２０５から構成されている。
【０１２８】
このスクランブルコード受信タイミング検出回路２００．２は、マルチキャリア信号を受信し、複数ｍの同期信号相関検出回路２０１０．１〜２０１０．ｍへ入力する。一方、ＦＦＴタイミング検出回路２５０．２は、各同期信号相関検出回路２０１０．ｘ（ｘ＝１，２，…，ｍ）に対して、ＦＦＴタイミング候補を設定する。
【０１２９】
各同期信号相関検出回路２０１０．ｘでは、ガードインターバル除去回路２０１５により、各ＦＦＴタイミング候補を用いてマルチキャリア信号からＧＩを除去する。ＧＩを除去されたマルチキャリア信号はＦＦＴ回路２０１６に入力され、ＦＦＴ回路２０１６によって同期チャネルが多重されている複数のサブキャリア成分に分離される。分離された各サブキャリア成分のうち、同期チャネルが多重されているサブキャリア成分のみを相関器２０１２に入力する。一方、同期信号レプリカ生成器２０１３は、同期信号レプリカを生成し、相関器２０１２に入力する。相関器２０１２は、ＦＦＴ出力と同期信号レプリカの相関検出を行い、各サブキャリアにおける相関値を加算器２０７に入力する。加算器２０７では、各サブキャリアにおける相関値を加算し、相関値とそのタイミングを相関値とタイミングのメモリ２０３に記憶する。
【０１３０】
タイミング検出回路２０４は、ｍ個の相関値とタイミングのメモリ２０３内の記憶値から、最大相関値及びタイミングを選択し、スクランブルコード受信タイミングとしてメモリ２０５に記憶する。タイミング検出回路２０４はさらに、スクランブルコード受信タイミングよりＦＦＴタイミングを計算し、ＦＦＴタイミングとしてメモリ２０５に記憶する。このメモリ２０５からＦＦＴタイミングをＧＩ除去回路２０８へ出力し、スクランブルコード受信タイミングをスクランブルコード同定回路２１０．１と復調回路３００へ出力する。
【０１３１】
スクランブルコード受信タイミング検出回路２００．２によるスクランブルコード受信タイミングの検出の後、ＧＩ除去回路２０８でＧＩを除去し、ＦＦＴ回路２０９でＦＦＴを行い、スクランブルコード同定回路２１０．１でスクランブルコード番号を特定して復調回路３００へ出力する処理は図１１と同じ回路による。また、復調回路３００は図１２に示したものであり、上述したようにスクランブルコード番号を用いてマルチキャリア信号に対するディスクランブルを行い、さらにデータ信号を復調、復号して元のデータ系列を取り出す。
【０１３２】
上記の構成の受信装置２０．７によるスクランブルコード番号及びタイミングの検出方法は、図３７のフローチャートによる。まず、ＦＦＴタイミング検出回路２５０．２により、受信されるマルチキャリア信号から所定個数ｍのＦＦＴタイミング候補を検出する（Ｓ１１００）。この処理は、第８の実施の形態と同様、図２６のフローチャートによる。なお、複数のＦＦＴタイミング候補の検出は、上述した図２７〜図３５のいずれの方法によるものであってもよい。
【０１３３】
次に、検出した複数のＦＦＴタイミング候補においてＦＦＴを行い、各ＦＦＴ後の信号について、同期信号を送信しているサブキャリア成分と同期信号との相関を検出する（Ｓ１４０１．１，Ｓ１４０２．１）。これは、すべてのＦＦＴタイミング候補において行う（Ｓ１４００．１〜Ｓ１４００．ｍ）。
【０１３４】
続いて、すべてのＦＦＴタイミング候補における相関値のうち、最大の相関値を検出したタイミングとそのときのＦＦＴタイミングとを、受信信号を拡散するスクランブルコードの受信タイミング及び受信信号のＦＦＴタイミングとする（ステップＳ１５００）。次に、検出したスクランブルコード受信タイミングにおいて、各サブキャリア成分に分離された受信信号と各スクランブルコードの相関を検出する（ステップＳ１６００）。そして最大の相関値を有するスクランブルコードより、受信信号を拡散するスクランブルコードを検出する（ステップＳ１７００）。
【０１３５】
この図３７のフローチャートに示す方法では、ＦＦＴタイミング及びスクランブルコードの受信タイミングとは、スクランブルコードの種類が検出される前のステップＳ１５００において決定することになる。
【０１３６】
次に、スクランブルコードの相関検出方法について説明する。ただし、サブキャリア周波数は＃１〜＃ＮのＮ個とする。図３８に示す例（第１０の実施の形態）は、Ｎａｖｇ＝６，Ｎｃｓ＝４，Ｎｐｓ＝Ｎ／Ｎｃｓの場合の例である。サブキャリア毎に各シンボルの相関値を時間方向にＮａｖｇシンボル同相加算する。そして、サブキャリア毎の同相加算値を、Ｎｃｓサブキャリアにわたり同相加算する。続いて、Ｎｃｓサブキャリア毎の同相加算値を周波数方向にＮｐｓ個電力加算し、各スクランブルコードの相関値を求める。
【０１３７】
この例のようにＮｐｓ＝Ｎ／Ｎｃｓの場合には、Ｎサブキャリア×Ｎａｖｇシンボルを使用して１スクランブルコード分の相関値を検出することになる。
【０１３８】
図３９に示す例（第１１の実施の形態）は、Ｎａｖｇ＝６，Ｎｃｓ＝４，Ｎｐｓ＝１の場合の例である。この場合、Ｎｐｓ＝１であるため、Ｎｃｓ個のサブキャリアの同相加算値が各スクランブルコードの相関値となり、Ｎサブキャリア×ＮａｖｇシンボルでＮ／Ｎｃｓ個のスクランブルコードの相関値を検出する。
【０１３９】
次に、図４０に示す例（第１２の実施の形態）は、Ｎｐｓ＝（Ｎ／Ｎｃｓ）／４の場合の例である。（Ｎ／Ｎｃｓ）／Ｎｐｓ＝４個のスクランブルコードの相関をＮｃｓサブキャリア毎に交互に検出する。そして、Ｎｃｓサブキャリア毎の同相加算値を各コード毎に周波数方向にＮｐｓ個電力加算することにより各スクランブルコードの相関値を検出することができる。
【０１４０】
この例のようにＮｐｓ＝（Ｎ／Ｎｃｓ）／４の場合、Ｎサブキャリア×Ｎａｖｇシンボルを使用して４スクランブルコード分の相関値を検出する。
【０１４１】
さらに、図４１に示す例（第１３の実施の形態）は、Ｎｐｓ＝（Ｎ／Ｎｃｓ）／２の場合の例である。この場合、Ｎサブキャリア×Ｎａｖｇシンボルを使用して２スクランブルコード分の相関値を検出することができる。
【０１４２】
【発明の効果】
本発明によれば、スクランブルコードを用いたＭＣ−ＣＤＭＡ方式において、高速かつ高精度な拡散符号同期が可能である。
【０１４３】
また本発明によれば、ＭＣ−ＣＤＭＡ方式を用いた移動通信システムにおいて、マルチセル環境下においてセル間に総送信電力にばらつきがあるような場合でも、複数候補を設けることにより最適セルのＦＦＴタイミングを検出することができる。
【図面の簡単な説明】
【図１】従来例のＭＣ−ＣＤＭＡ方式の移動通信システムにおける送信装置のブロック図。
【図２】上記の従来例におけるスクランブルコードパターンを示す図である。
【図３】本発明の第１の実施の形態の送信装置のブロック図である。
【図４】本発明の第１の実施の形態の送信装置における同期信号の構成を示す図である。
【図５】本発明の第１の実施の形態の送信装置における別の同期信号の構成を示す図である。
【図６】本発明の第１の実施の形態の送信装置におけるさらに別の同期信号の構成を示す図である。
【図７】本発明の第１の実施の形態の送信装置におけるさらに別の同期信号の構成を示図、及びその同期信号タイミングを示す図である。
【図８】本発明の第２の実施の形態の送信装置のブロック図である。
【図９】本発明の第２の実施の形態の送信装置における同期信号の構成を示す図である。
【図１０】本発明の第３の実施の形態のＭＣ−ＣＤＭＡ方式の受信装置のブロック図である。
【図１１】本発明の第３の実施の形態の受信装置におけるスクランブルコード受信タイミング検出回路、スクランブルコード同定回路の詳しい構成を示すブロック図である。
【図１２】本発明の第３の実施の形態の受信装置における復調回路の詳しい構成を示すブロック図である。
【図１３】本発明の第３の実施の形態の受信装置によるマルチキャリア信号の受信方法を示すフローチャートである。
【図１４】本発明の第４の実施の形態のＭＣ−ＣＤＭＡ方式の受信装置のブロック図である。
【図１５】本発明の第４の実施の形態の受信装置によるマルチキャリア信号の受信方法を示すフローチャートである。
【図１６】本発明の第５の実施の形態のＭＣ−ＣＤＭＡ方式の受信装置のブロック図である。
【図１７】本発明の第５の実施の形態の受信装置によるマルチキャリア信号の受信方法を示すフローチャートである。
【図１８】本発明の第６の実施の形態のＭＣ−ＣＤＭＡ方式の受信装置のブロック図である。
【図１９】本発明の第６の実施の形態の受信装置によるマルチキャリア信号の受信方法を示すフローチャートである。
【図２０】本発明の第７の実施の形態のＭＣ−ＣＤＭＡ方式の受信装置のブロック図である。
【図２１】本発明の第７の実施の形態の受信装置によるマルチキャリア信号の受信方法を示すフローチャートである。
【図２２】一般的なＭＣ−ＣＤＭＡ方式における受信信号からＦＦＴタイミングを検出する処理を示すフローチャートである。
【図２３】図２２に示すＦＦＴタイミングの検出処理の説明図である。
【図２４】検出されたＦＦＴタイミングの相関系列図である。
【図２５】本発明の第８の実施の形態のＭＣ−ＣＤＭＡ方式の受信装置のブロック図である。
【図２６】本発明の第８の実施の形態の受信装置による信号受信方法を示すフローチャートである。
【図２７】本発明の第８の実施の形態の受信装置による信号受信方法により決定されたＦＦＴタイミング候補を示す説明図である。
【図２８】本発明の第７の実施の形態の受信装置による信号受信方法を示すフローチャートである。
【図２９】本発明の第８の実施の形態の受信装置による別のＦＦＴタイミング候補検出方法を示す説明図である。
【図３０】本発明の第８の実施の形態の受信装置によるさらに別のＦＦＴタイミング候補検出方法を示す説明図である。
【図３１】本発明の第８の実施の形態の受信装置によるさらに別のＦＦＴタイミング候補検出方法を示す説明図である。
【図３２】本発明の第８の実施の形態の受信装置によるさらに別のＦＦＴタイミング候補検出方法を示す説明図である。
【図３３】本発明の第８の実施の形態の受信装置によるさらに別のＦＦＴタイミング候補検出方法を示す説明図である。
【図３４】本発明の第８の実施の形態の受信装置によるさらに別のＦＦＴタイミング候補検出方法を示す説明図である。
【図３５】本発明の第８の実施の形態の受信装置によるさらに別のＦＦＴタイミング候補検出方法を示す説明図である。
【図３６】本発明の第９の実施の形態のＭＣ−ＣＤＭＡ方式の受信装置のブロック図である。
【図３７】本発明の第７の実施の形態の受信装置による信号受信方法を示すフローチャートである。
【図３８】本発明の第１０の実施の形態の受信装置による長周期拡散符号の相関検出方法を示す図である。
【図３９】本発明の第１１の実施の形態の受信装置による長周期拡散符号の相関検出方法を示す図である。
【図４０】本発明の第１２の実施の形態の受信装置による長周期拡散符号の相関検出方法を示す図である。
【図４１】本発明の第１３の実施の形態の受信装置による長周期拡散符号の相関検出方法を示す図である。
【符号の説明】
１０  送信装置
１００  データチャネル生成回路
１０１  送信データ発生部
１０７  短周期拡散符号生成器
１０８  乗算器
１０９  第１の合成部
１１０  スクランブルコード生成器
１１１  乗算器
１１２  第２の合成部
１１３  ＩＦＦＴ回路
１１４  ガードインターバル挿入器
１２０  同期信号生成器
１２１  データ発生部
１２３  同期信号用拡散符号生成器
１２４  乗算器
１２５  直並列変換器
１２６  乗算器
１９９  アンテナ
２０  受信装置
２００  スクランブルコード受信タイミング検出回路
２０１  相関器
２０２  同期信号レプリカ生成器
２０３  相関値とタイミングのメモリ
２０４  タイミング検出回路
２０５  メモリ
２０７  加算器
２０８  ガードインターバル除去回路
２０９  ＦＦＴ回路
２１０  スクランブルコード同定回路
２１１  スクランブルコードレプリカ生成器
２１２  相関器
２１３  加算器
２１４  相関値とコード番号のメモリ
２１５  スクランブルコード検出回路
２０１０  同期信号相関検出回路
２０１２  相関器
２０１３  同期信号レプリカ生成器
２０１４  ＦＦＴタイミング設定回路
２０１５  ガードインターバル除去回路
２０１６  ＦＦＴ回路
２３０  スクランブルコード相関検出回路
２４０  スクランブルコード及びスクランブルコード受信タイミング検出回路
２５０  ＦＦＴタイミング検出回路
２５１  遅延回路
２５２  乗算器
２５３  積分器
２５４  相関値とタイミングのメモリ
２５５  タイミング検出回路
２５６  メモリ
３００  復調回路
３０１  スクランブルコード生成器
３０２  ＦＦＴタイミング検出部
３０３  ガードインターバル除去回路
３０４  ＦＦＴ回路
３０５  チャネル推定部
３０９  シートコード生成器
３１０  加算器
３１２  データ復調部
３１３  復号器
【図１】
0003634793.tif 000002
【図２】
0003634793.tif 000003
【図３】
0003634793.tif 000004
【図４】
0003634793.tif 000005
【図５】
0003634793.tif 000006
【図６】
0003634793.tif 000007
【図７】
0003634793.tif 000008
【図８】
0003634793.tif 000009
【図９】
0003634793.tif 000010
【図１０】
0003634793.tif 000011
【図１１】
0003634793.tif 000012
【図１２】
0003634793.tif 000013
【図１３】
0003634793.tif 000014
【図１４】
0003634793.tif 000015
【図１５】
0003634793.tif 000016
【図１６】
0003634793.tif 000017
【図１７】
0003634793.tif 000018
【図１８】
0003634793.tif 000019
【図１９】
0003634793.tif 000020
【図２０】
0003634793.tif 000021
【図２１】
0003634793.tif 000022
【図２２】
0003634793.tif 000023
【図２３】
0003634793.tif 000024
【図２４】
0003634793.tif 000025
【図２５】
0003634793.tif 000026
【図２６】
0003634793.tif 000027
【図２７】
0003634793.tif 000028
【図２８】
0003634793.tif 000029
【図２９】
0003634793.tif 000030
【図３０】
0003634793.tif 000031
【図３１】
0003634793.tif 000032
【図３２】
0003634793.tif 000033
【図３３】
0003634793.tif 000034
【図３４】
0003634793.tif 000035
【図３５】
0003634793.tif 000036
【図３６】
0003634793.tif 000037
【図３７】
0003634793.tif 000038
【図３８】
0003634793.tif 000039
【図３９】
0003634793.tif 000040
【図４０】
0003634793.tif 000041
【図４１】
0003634793.tif 000042